(57)【特許請求の範囲】
【請求項１】
第１のハウジングと、
その下辺が前記第１のハウジングの上辺と折り畳み可能に接続される第２のハウジングと、
前記第１のハウジングの折り畳み時における内側面に表示画面が設けられる第１の表示部と、
前記第２のハウジングの折り畳み時における内側面に表示画面が設けられる第２の表示部と、
前記第１のハウジングと前記第２のハウジングを開いたときにおける前記第１の表示部の表示画面と前記第２の表示部の表示画面との間であって、左右方向の略中央部に設けられる撮像部と
前記第１のハウジングにおいて、その左右方向に関して前記第１の表示部の両側に設けられる把持部であって、当該第１のハウジングの折り畳み時における内側面に操作ボタンを備える把持部と
を備える、撮像装置。
【請求項２】
前記第１のハウジングと前記第２のハウジングを開いたときにおける前記第１の表示部の表示画面と前記第２の表示部の表示画面との間であって、前記撮像部に近接して設けられる音声入力部をさらに備える、請求項１に記載の撮像装置。
【請求項３】
前記第２のハウジングは、前記第１のハウジングの上辺と回転可能に連結される軸部をその下辺に有し、
前記撮像部は、前記軸部に配置される、請求項１に記載の撮像装置。
【請求項４】
前記軸部は、左右方向に関して前記第２のハウジングの略中央に設けられる、請求項３に記載の撮像装置。
【請求項５】
前記撮像部は、左右方向に関して略中央に配置され、
前記音声入力部は、前記撮像部の位置から左右方向にずれた位置に配置される、請求項２に記載の撮像装置。
【請求項６】
前記第２のハウジングの内側面において、左右方向に関して前記第２の表示部の表示画面の両側に設けられる音声出力部をさらに備える、請求項１に記載の撮像装置。
【請求項７】
前記第２のハウジングの折り畳み時における外側面の、前記第１のハウジングに接続される辺よりも当該辺と対抗する辺に近い側に設けられる第２の撮像部をさらに備える、請求項１に記載の撮像装置。
【請求項８】
前記第２のハウジングの、前記第１のハウジングに接続される辺の左右両端に第２操作ボタンをさらに備える、請求項７に記載の撮像装置
【請求項９】
前記第１の表示部に載置され、当該第１の表示部の座標への指示を検出可能な座標指示検出手段と、
前記第１の表示部に撮影指示画像を表示する表示制御手段と、
前記座標指示検出手段によって前記撮像指示画像の表示位置に対応する座標への指示が検出された際に前記撮像部による撮影処理を実行する撮影制御手段をさらに備える、請求項１に記載の撮像装置。
【請求項１０】
前記表示制御手段は、前記撮影指示画像を、前記第１の表示部の左右方向の略中央に表示する、請求項９に記載の撮像装置。
【発明の詳細な説明】
【技術分野】
【０００１】
本発明は、撮像装置に関する。より特定的には、カメラ等の撮像手段およびマイク等の音声入力手段を備える撮像装置に関する。
【背景技術】
【０００２】
従来、カメラ付きの携帯電話機等のように、撮像機能と音声入力機能とを備える携帯機器があり、かかる携帯機器によって画像を撮像するとともに音声入力（録音を含む）を行うことが可能である。また、ユーザが撮像および音声入力を行う際には、撮像されている画像をはじめ各種の情報をユーザに提示することができることが好ましく、表示装置の画面は、操作中にユーザが画面を視認できるように配置されることが好ましい。
【０００３】
例えば特許文献１−５には、カメラおよびマイクを有する情報処理装置が開示されている。特許文献１−３に記載の携帯機器は、カメラおよびマイクを有するとともに、ハウジング（筐体）の２つの面にそれぞれ画面を設けた構成である。具体的には、特許文献１−３に記載の携帯機器は、２つのハウジング（筐体）が折り畳み可能に接続された折り畳み式の機器であり、一方のハウジングの内側面と外側面とにそれぞれ画面が設けられている。なお、内側面とは折り畳み時に内側となる面であり、外側面とはその反対側の面（折り畳み時に外側となる面）である。このように、内側面および外側面の両方に画面を設けることによって、携帯機器を開いた状態にしても閉じた状態にしてもユーザは画面を見ることができ、いずれの状態においても携帯機器を使用して撮像を行うことができる。
【０００４】
また、特許文献４および５に記載の電話機は、カメラおよびマイクと同じ側に２つの画面が配置される構成である。すなわち、特許文献４および５に記載の電話機は折り畳み式の機器であり、一方のハウジングの内側面にカメラが設けられるとともに他方のハウジングの内側面にマイクが設けられ、さらに、２つのハウジングの各内側面に１つずつ画面が設けられている。この構成によれば、ユーザは、２つのハウジングを開いた状態で電話機を使用する際、２つの画面を同時に見ることができる。
【０００５】
また、従来、カメラで画像を撮像し、撮像した画像等を表示装置に表示する撮像装置がある。例えば特許文献６には、折り畳み型の携帯電話機に撮像機能を付加した撮像装置が開示されている。この撮像装置は、２つの縦長の筐体がそれぞれの短辺で折り畳み可能に接続された構成であり、各筐体には表示画面がそれぞれ設けられる。さらに、各表示画面上にはタッチパネルが設けられる。上記撮像装置では、入力装置としてタッチパネルを用いることによって、各筐体の一面のほぼ全面に表示画面を設けることを可能としている。これによって、携帯電話機の小型化を図りながら情報表示領域を大きくとっている。
【０００６】
また、特許文献７には、カメラを内蔵した情報機器が開示されている。この情報機器は、本体ユニットと表示ユニットとがヒンジブロックによって回転可能に接続された構成である。この情報機器では、ヒンジブロック内にカメラが配置される。
【０００７】
また、従来、携帯電話機等の折り畳み式の携帯機器にカメラを搭載し、撮像機能を付加するようにした撮像装置がある。例えば特許文献８には、カメラを搭載した折りたたみ式の携帯電話機が開示されている。この携帯電話機は、折り畳み可能な２つの筐体から構成され、上側の第１筐体の外側面（携帯電話機を折り畳んだ場合に外側となる面）にカメラが搭載されている。撮影指示（カメラによって撮像された画像データを保存する指示）を行うためのシャッタボタンとしては、下側の第２筐体の内側面（携帯電話機を折り畳んだ場合に内側となる面）に第１シャッタボタンが設けられるとともに、第１筐体の外側面に第２シャッタボタンが設けられる。携帯電話機を開いた状態において撮影を行う場合、ユーザは、第１シャッタボタンを用いて撮影指示を行う。    
【特許文献１】特開２００４−２７４３０４号公報
【特許文献２】特開２００５−１８４０６０号公報
【特許文献３】特開２００７−２０１７２７号公報
【特許文献４】特開平０９−２４７６３４号公報
【特許文献５】特開２００６−３１１２２４号公報
【特許文献６】特開２００６−３１１２２４号公報
【特許文献７】特開２００１−１４２５６４号公報
【特許文献８】特開２００３−３３３１４９号公報
【発明の開示】
【発明が解決しようとする課題】
【０００８】
（課題１）上述の特許文献１−５についての課題
上記特許文献１−３に記載の携帯機器のように、ハウジングの内側面と外側面とに１つずつ画面を設ける構成では、ユーザが同時に見ることができる画面は１つであるので、ユーザに対して一度に提示可能な情報量が少なくなってしまう。そのため、ユーザは、撮像・音声入力時に十分な情報を得る（見る）ことができないおそれがある。
【０００９】
一方、上記特許文献４および５の電話機においては、ユーザは２つの画面を同時に見ることができるので、ユーザに対して一度に提示可能な情報量は多くなる。しかし、上記特許文献４および５の電話機においては、カメラやマイクの位置が適切でないために、以下の理由で撮像・音声入力が行いにくいという課題があった。
【００１０】
上記特許文献４および５の電話機においては、カメラおよびマイクは、異なるハウジングに設けられており、また、電話機の端部に配置されている。具体的には、一方のハウジングの端部にカメラが配置され、他方のハウジングの端部にマイクが配置されている。そのため、折り畳みの角度が１８０度でない場合においては、カメラの撮像方向とマイクの集音方向が異なる方向を向くことになる。また、このときには、マイクの集音方向と「カメラが設けられたハウジングの画面」の方向も異なる方向を向くことになる。折り畳み式の装置は、例えば机の上に置くなどして、折り畳みの角度を所望の角度に設定して使用することが有意義であるが、このとき、上側のハウジングの画面がユーザに正対するように設定すると使いやすいところ、特許文献４および５の電話機では、このような状況において、マイクの集音方向がユーザの口の向きと異なっている。
【００１１】
さらには、特許文献４および５の電話機では、カメラが各ハウジングの端部に設けてあり、２つの画面がいずれもカメラの下側に存在するので、カメラに視線を向けた状態から各画面に表示された情報を見るためには、必ず下方に視線を動かす必要があり、特に、下側の画面の情報を見るときの視線の移動量が大きい。また、ユーザは２つの画面の表示情報を均等に見るためには、視線を２つの画面の中央付近を基準にして動かすようにするのが良いが、特許文献４または５の電話機では、このような視線の方向とカメラの撮影方向が異なっている。
【００１２】
（課題２）特許文献６−７についての課題
特許文献６に開示の撮像装置では、縦長の筐体が縦に並べて接続された構成であるので、両手で把持するには幅が狭すぎてユーザは両手でしっかりと撮像装置を把持することができない。また、筐体の全面に表示画面が設けられているので、ユーザが撮像装置を把持した場合、撮像装置を縦向きにして把持しても横向きにして把持しても画面の上に指がかかってしまい、画面の視認性やタッチパネルの操作性が悪くなる。一方、画面に指がかからないように把持しようとすると、筐体の裏面および側面のみで把持しなければならず、しっかりと撮像装置を把持することができない。また、特許文献７に開示の情報機器はノートパソコンであるので、撮像時には載置された状態で使用されることが前提であり、撮像時に手で把持して使用することはできない。
【００１３】
以上のように、特許文献６および７に開示の撮像装置では、画面の視認性やタッチパネルの操作性を保ちながら、撮像時にユーザがしっかりと把持することはできなかった。そのため、撮像時に手ぶれが生じる可能性が高いという問題があった。また、撮像時にしっかりと把持することができないため、撮像時における操作も行いにくかった。
【００１４】
（課題３）特許文献８についての課題
特許文献８に開示の携帯電話機では、ユーザが撮影を行う際には、下側の第２筐体を片手で把持しながら親指で第１シャッタボタンを押下する操作態様が想定される。つまり、ユーザは、親指を第２筐体の内側面に接触させるとともにその他の指を第２筐体の外側面に接触させるようにして（親指とその他の指とで第２筐体を挟むようにして）第２筐体を把持しながら、その親指で第１シャッタボタンを押下するのである。このような操作態様では、第１シャッタボタンを押下する際に親指を第２筐体から離さなければならないので第２筐体をしっかり把持することができない。そのため、第１シャッタボタンを押下しにくく、また、押下した際に手ぶれが生じるおそれがある。このように、従来の折りたたみ式の撮像装置では、シャッタボタンを押下する撮影操作が行いにくいという課題があった。
【００１５】
本発明の目的は、上述の課題１に関して、ユーザにとって撮像・音声入力が行いやすい撮像装置を提供することである。
【課題を解決するための手段】
【００１６】
本発明は、上記の課題１を解決するために、以下の構成を採用した。なお、本欄における括弧内の参照符号および補足説明等は、本発明の理解を助けるために後述する実施形態との対応関係を示したものであって、本発明を何ら限定するものではない。
【００１７】
第１の発明は、第１のハウジング（下側ハウジング１１）と、第２のハウジング（上側ハウジング２１）と、第１の表示部（下側ＬＣＤ１２）と、第２の表示部（上側ＬＣＤ２２）と、撮像部（内側カメラ２３）と、音声入力部（マイク４２）とを備える、撮像装置である。第２のハウジングは、その下辺が第１のハウジングの上辺と折り畳み可能に接続される。第１の表示部は、第１のハウジングの折り畳み時における内側面に表示画面が設けられる。第２の表示部は、第２のハウジングの折り畳み時における内側面に表示画面が設けられる。撮像部は、第２のハウジングの内側面において、第１の表示部の表示画面と第２の表示部の表示画面との間に設けられる。音声入力部は、第２のハウジングの内側面において、第１の表示部の表示画面と第２の表示部の表示画面との間に設けられる。
【００１８】
第２の発明においては、撮像装置は、第１のハウジングに設けられる操作ボタン（ボタン１４Ａ〜１４Ｆ）をさらに備えていてもよい。
【００１９】
第３の発明においては、第２のハウジングは、第１のハウジングの上辺と回転可能に連結される軸部（２１Ａ）をその下辺に有していてもよい。このとき、撮像部および音声入力部は、軸部に配置される。
【００２０】
第４の発明においては、軸部は、左右方向に関して第２のハウジングの略中央に設けられてもよい。
【００２１】
第５の発明においては、撮像部は、左右方向に関して略中央に配置されてもよい。このとき、音声入力部は、撮像部の位置から左右方向にずれた位置に配置される。
【００２２】
第６の発明においては、撮像装置は、第２のハウジングの内側面において、左右方向に関して第２の表示部の表示画面の両側に設けられる音声出力部（スピーカ）をさらに備えていてもよい。
【００２３】
第７の発明は、第１のハウジング（下側ハウジング１１）と、第２のハウジング（上側ハウジング２１）と、第１の表示部（下側ＬＣＤ１２）と、第２の表示部（上側ＬＣＤ２２）と、撮像部（内側カメラ２３）と、音声出力部（スピーカ）とを備える、撮像装置である。第２のハウジングは、その下辺が第１のハウジングの上辺と折り畳み可能に接続される。第１の表示部は、第１のハウジングの折り畳み時における内側面に表示画面が設けられる。第２の表示部は、第２のハウジングの折り畳み時における内側面に表示画面が設けられる。撮像部は、第２のハウジングの内側面において、第１の表示部の画面と第２の表示部の画面との間に設けられる。音声出力部は、第２のハウジングの内側面において、左右方向に関して第２の表示部の表示画面の両側に設けられる。
【００２４】
第８の発明は、第１のハウジング（下側ハウジング１１）と、第２のハウジング（上側ハウジング２１）と、第１の表示部（下側ＬＣＤ１２）と、第２の表示部（上側ＬＣＤ２２）と、撮像部（内側カメラ２３）とを備える、撮像装置である。第２のハウジングは、その下辺が前記第１のハウジングの上辺と折り畳み可能に接続される。第１の表示部は、前記第１のハウジングの折り畳み時における内側面に表示画面が設けられる。第２の表示部は、前記第２のハウジングの折り畳み時における内側面に表示画面が設けられる。撮像部は、前記第１のハウジングと前記第２のハウジングを開いたときにおける前記第１の表示部の表示画面と前記第２の表示部の表示画面との間であって、左右方向の中央部に設けられる。
【００２５】
第９の発明においては、撮像装置は、前記第１のハウジングと前記第２のハウジングとを開いたときにおける前記第１の表示部の表示画面と前記第２の表示部の表示画面との間であって、左右方向の中央部に設けられる音声入力部（マイク４２）をさらに備えていてもよい。
【００２６】
第１０の発明においては、前記撮像部は、前記第１のハウジングと前記第２のハウジングを開いたときにおける前記第１の表示部の表示画面と前記第２の表示部の表示画面との間であって、左右方向の中央に設けられてもよい。このとき、前記音声入力部は、前記撮像部に近接して設けられる。
【発明の効果】
【００２７】
第１の発明によれば、撮像部および音声入力部は２つの画面の間に設けられるので、ユーザが撮像・音声入力を行う際に２つの画面に正対すれば、カメラおよびマイクはいずれもユーザの正面に位置することになる。したがって、ユーザは、２つの画面に正対した向きのままで（顔の向きを変えなくても）撮像および音声入力をうまく行うことができる。また、例えばユーザ自身をカメラで撮像する場合には、ユーザは画面を見つつカメラの方を見て撮像操作を行うが、第１の発明によれば２つの画面の間にカメラが配置されるので、ユーザは撮像操作の際に画面とカメラとの間で視線を動かす距離を最小限にすることができ、２つの画面を見ながらの撮像操作が容易になる。また、第１の発明によれば、カメラおよびマイクが同じ第２のハウジングのほぼ同じ位置に配置されるので、撮像時にユーザがカメラの方を向けば自然にマイクの方に顔を向けることになるので音声入力部によってユーザの声を拾いやすく、音声を精度良く検知することができる。
【００２８】
第２の発明によれば、操作ボタンとマイクとは異なるハウジングに設けられるので、操作ボタンを操作した時の操作音（雑音）がマイクによって拾われにくくなり、所望の音声をマイクによって正確に検出することができる。また、第２の発明によれば、第１のハウジングに操作ボタンが設けられるので、撮像を行う際にユーザは第１のハウジングを把持すると考えられる。したがって、ユーザは撮像装置を把持する姿勢を変えることなく（第１のハウジングを動かすことなく）第２のハウジングを所望の方向に向けることによって、撮像方向を所望の方向へと容易に変更することができる。
【００２９】
第３の発明によれば、折り畳み構造を実現するための軸部に撮像部および音声入力部を配置することによって、第２の表示部の画面と軸部との間に撮像部および音声入力部を配置する場合に比べて、２つの画面の間の距離を短くすることができる。これによって、２つの画面をより近づけて配置することができ、ユーザにとっては２つの画面がより見やすくなる。
【００３０】
第４の発明によれば、左右方向に関しても撮像部および音声入力部が略中央に配置されるので、撮像および音声入力がユーザにとってより行いやすくなる。
【００３１】
第５の発明によれば、撮像部が左右方向に関して中央に配置されることによって、例えばユーザが自分自身を撮像する際において自分自身が撮像領域の中央に位置するように撮像することが容易になる。また、音声入力部は中央から多少ずれた位置に配置されていても検出精度に大きな影響がない。さらに、第５の発明によれば、撮像部および音声入力部を左右方向に並べて配置することができるので、撮像部および音声入力部を上下方向に並べて配置する場合に比べて２つの画面の間の距離を短くすることができる。以上より、第５の発明によれば、撮像および音声入力の行いやすさを維持しつつ、２つの画面がより見やすくなるように撮像部および音声入力部を配置することができる。
【００３２】
第６の発明によれば、ユーザが２つの画面に正対する向きで撮像装置を把持すれば、左右の耳に対応する位置（顔の左右両側の位置）に音声出力部が配置されることとなるので、ステレオ効果を効果的に得ることができる。
【００３３】
第７の発明によれば、第６の発明と同様、ユーザが２つの画面に正対する向きで撮像装置を把持することによって、ステレオ効果を効果的に得ることができる。また、第１の発明と同様、ユーザが２つの画面に正対する向きとなった場合にはカメラがユーザの正面に位置することになるので、ユーザは、２つの画面に正対した向きのままで（顔の向きを変えなくても）撮像をうまく行うことができる。
【００３４】
第８の発明によれば、第１の発明と同様、２画面の間の中央にカメラを設けることによって、カメラの方に視線を向けた状態から、上画面に表示された情報についても、下画面に表示された情報についても、視線の動きを最小限にして当該情報を得ることができる。また、上画面または下画面のいずれの情報を見ている状態においても、カメラの撮影方向と視線との差が少なく、カメラの方を向いたユーザを撮影することができる。
【００３５】
第９の発明によれば、第１の発明と同様、カメラおよびマイクが同じ第２のハウジングのほぼ同じ位置に配置されるので、撮像時にユーザがカメラの方を向けば自然にマイクの方に顔を向けることになるので音声入力部によってユーザの声を拾いやすく、音声を精度良く検知することができる。
【００３６】
第１０の発明によれば、第５の発明と同様、撮像および音声入力の行いやすさを維持しつつ、２つの画面がより見やすくなるように撮像部および音声入力部を配置することができる。
【発明を実施するための最良の形態】
【００３７】
（撮像装置の構成）
以下、本発明の一実施形態に係る撮像装置について説明する。図１〜図３は、撮像装置１０の外観を示す平面図である。撮像装置１０は折り畳み型の撮像装置であり、図１および図２は、開いた状態（開状態）における撮像装置１０を示し、図３は、閉じた状態（閉状態）における撮像装置１０を示している。また、図１は、開状態における撮像装置１０の正面図であり、図２は、開状態における撮像装置の側面図である。撮像装置１０は、カメラによって画像を撮像し、撮像した画像を画面に表示したり、撮像した画像のデータを記録したりするものである（不揮発メモリへの記録でもよいし、揮発的メモリへの記録でもよい。また、静止画の記録でもよいし、動画の記録でもよい）。また、撮像装置１０は、２つの表示装置（ＬＣＤ１２および２２）および２つのカメラ（カメラ２３および２５）を有する構成である。
【００３８】
また、図１５〜図１７は、本実施形態の変形例に係る撮像装置の外観を示す平面図である。図１５は、開状態における撮像装置１０の正面図であり、図１６は、開状態における撮像装置の側面図であり、図１７は、閉状態における撮像装置１０を示している。なお、図１５〜図１７において、図１〜図３と同じ構成要素については同じ参照符号を付し、詳細な説明を省略する。図１５〜図１７に示す撮像装置１１０は、本実施形態に係る撮像装置１０の一部の構成要素について配置、個数、または形状等を変更したものであり、基本的な機能は撮像装置１０と同じである。
【００３９】
以下、図１〜図５および図１５〜図１７を参照して、撮像装置１０の外観構成について説明する。撮像装置１０は、開いた状態において両手または片手で把持することができるような小型のサイズとされ、例えば、閉じた状態において、（縦（図示ｘ方向））５０ｍｍ〜１００ｍｍ×（横（図示ｙ方向））１００ｍｍ〜２００ｍｍ×（厚み（図示ｚ方向））１０ｍｍ〜４０ｍｍ程度、開いた状態においては、（縦）１００ｍｍ〜２００ｍｍ程度になるようなサイズとすることができる。より好ましくは、閉じた状態において、（縦）６０ｍｍ〜９０ｍｍ×（横）１００ｍｍ〜１５０ｍｍ×（厚み）１５ｍｍ〜３０ｍｍ、開いた状態において、（縦）１２０ｍｍ〜１６０ｍｍ程度のサイズとすることができる。さらに好ましくは、閉じた状態において、（縦）７０ｍｍ〜８０ｍｍ×（横）１００ｍｍ〜１５０ｍｍ×（厚み）１５ｍｍ〜２５ｍｍ、開いた状態において、（縦）１３５ｍｍ〜１５５ｍｍ程度のサイズとすることができる。なお、下側ハウジング１１の厚みは上側ハウジング２１の厚みよりも大きくすることが好ましい。また、撮像装置１０は、開いた状態における縦の長さと横の長さが略同一の長さとなるようにしてもよい。なお、下側ハウジング１１の縦方向の寸法は、手のひら中央で下側ハウジング１１の下隅部を支持したときに、人指し指の第２関節が上隅部付近に位置するような寸法にするのが望ましい。
【００４０】
図１〜図３に示すように、撮像装置１０は、下側ハウジング１１および上側ハウジング２１という２つのハウジングを有する。下側ハウジング１１と上側ハウジング２１とは、開閉可能（折り畳み可能）に接続されている。本実施形態では、各ハウジング１１および２１はともに横長の形状であり（すなわち、各ハウジングは、横方向の寸法が縦方向の寸法よりも長い）、典型的には長方形の形状である。また、各ハウジング１１および２１は、平板状形状である（すなわち、厚み方向が、縦横方向よりも短い）。また、上側ハウジング２１および下側ハウジング１１は薄型平板状である。また、上側ハウジング２１の厚みは下側ハウジング１１の厚みよりも小さくするのが好ましい。そして、下側ハウジング１１と上側ハウジング２１とは、互いの長辺部分で回転可能に接続されている。
【００４１】
図４は図１に示す下側ハウジングのＡ−Ａ’断面図であり、図５は、図１に示す上側ハウジングのＢ−Ｂ’断面図である。図４に示すように、下側ハウジング１１の内側面（撮像装置１０が閉状態となった場合に内側となる面）上には、当該内側面に垂直な方向に突起するように設けられる軸部１１Ａが設けられる（軸部１１Ａは下側ハウジングと構造的に一体になっている）。軸部１１Ａは、左右方向（図示ｙ方向）に関して両端の位置に設けられる（図１参照）。なお、軸部１１Ａは、図１５に示すように、左右方向に関して両端からやや内側の位置に設けられてもよい。また、図５に示すように、上側ハウジング２１の下側面（図示ｘ軸負側の側面）には、下側面に垂直な方向に対して突起するように設けられる軸部２１Ａが設けられる（軸部２１Ａは上側ハウジングと構造的に一体になっている）。軸部２１Ａは、下側面に垂直な方向に突起するとともに、上側ハウジング２１の内側面（撮像装置１０が閉状態となった場合に内側となる面）に垂直な方向についても突起するように設けられる。軸部２１Ａは、左右方向に関して上側ハウジング２１の下端中央に設けられる（図１参照）。軸部１１Ａと軸部２１Ａとは内部に設けられるヒンジによって回転可能に接続されて一体の突起部を形成する。以上のように構成されることによって、突起部は各ハウジング１１および２１の内側面に対して突起した状態となる（図２参照）。また、軸部１１Ａが下側ハウジング１１の内側面に対して突起して設けられ、軸部２１Ａが上側ハウジング２１の下方に突起して設けられるので、２つのハウジング１１および２１が接続された状態では、下側ハウジング１１の外側面（撮像装置１０が閉状態となった場合に外側となる面）と上側ハウジング２１の外側面との間には、下側ハウジング１１の厚さの分だけ段差がつけられる（図２参照）。
【００４２】
以上のように、上側ハウジング２１は、下側ハウジング１１の上側の一部で回動自在に支持されている。これによって、撮像装置１０は、閉状態（下側ハウジング１１と上側ハウジング２１とのなす角度が約０°の状態（図２参照））と、開状態（下側ハウジング１１と上側ハウジング２１とのなす角度が約１８０°の状態（図１参照））とをとることができる。ユーザは通常、開状態で撮像装置１０を使用し、撮像装置１０を使用しない場合には閉状態として撮像装置１０を保管する。また、本実施形態においては、撮像装置１０は、上記閉状態および開状態のみでなく、下側ハウジング１１と上側ハウジング２１とのなす角度が閉状態と開状態との間の任意の角度においてヒンジに発生する摩擦力などによって開閉角度を維持することができる。つまり、上側ハウジング２１を下側ハウジング１１に対して任意の角度で静止させることができる。また、ヒンジは、１８０°より小さい所定角度においてクリック感を伴って一時固定する機構を有してもよい。すなわち、上側ハウジング２１と下側ハウジング１１とは、１８０°よりも小さい所定角度に開いた状態で、当該所定角度においてクリック感を伴って一時固定されるようにしてもよい。上記所定角度は、具体的には、例えば１５０°〜１７５°の範囲の角度であって、本実施形態においては１６０°とする。なお、本実施形態においては、各ハウジング１１および２１は、１８０°まで開くことが可能であるとするが、他の実施形態においては、上記所定角度までしか開かないようにしてもよいし、１８０°以上開くようにしてもよい。
【００４３】
まず、下側ハウジング１１に設けられる構成について説明する。図１に示すように、撮像装置１０は、下側ＬＣＤ（Ｌｉｑｕｉｄ  Ｃｒｙｓｔａｌ  Ｄｉｓｐｌａｙ：液晶表示装置）１２を有する。下側ＬＣＤ１２は横長形状であり、長辺方向が下側ハウジング１１の長辺方向に一致するように配置される。下側ＬＣＤ１２は下側ハウジング１１に収納される。下側ＬＣＤ１２は、下側ハウジング１１の内側面に設けられる。したがって、撮像装置１０を使用しない場合には閉状態としておくことによって、下側ＬＣＤ１２の画面が汚れたり傷ついたりすることを防止することができる。なお、本実施形態では表示装置としてＬＣＤを用いているが、例えばＥＬ（Ｅｌｅｃｔｒｏ  Ｌｕｍｉｎｅｓｃｅｎｃｅ：電界発光）を利用した表示装置など、他の任意の表示装置を利用してもよい。また、撮像装置１０は任意の解像度の表示装置を利用することができる。なお、詳細は後述するが、下側ＬＣＤ１２には、主に、カメラ２３または２５で撮像されている画像をリアルタイムに表示するために用いられる。
【００４４】
下側ハウジング１１の内側面はほぼ平面状に形成される。当該内側面の中央には、下側ＬＣＤ１２を露出させるための開口部１１Ｂが形成される。当該開口部１１Ｂの左側（図示ｙ軸負側）には開口部１１Ｃが形成され、当該開口部１１Ｂの右側には開口部１１Ｄが形成される。開口部１１Ｂおよび１１Ｃは、各キートップ（各ボタン１４Ａ〜１４Ｅの上面）を露出させるためのものである。そして、下側ハウジング１１の内部に収納される下側ＬＣＤ１２の画面が開口部１１Ｂから露出し、各キートップが開口部１１Ｃおよび１１Ｄから露出される。このように、下側ハウジング１１の内側面には、中央に設けられる下側ＬＣＤ１２用の開口部１１Ｂの左右両側に非画面領域（図１に示す点線領域Ａ１およびＡ２。具体的には、各ボタン１４Ａ〜１４Ｅを配置するための領域；ボタン配置領域）がそれぞれ設けられる。このボタン配置領域は、それぞれ、横方向（図示ｙ方向）の寸法が少なくとも１５ｍｍ以上（好ましくは２０ｍｍ以上で、より好ましくは３０ｍｍ〜４０ｍｍ程度。）となるように設計される。
【００４５】
下側ハウジング１１には、入力装置として、各ボタン１４Ａ〜１４Ｉおよびタッチパネル１３が設けられる。図１に示されるように、各ボタン１４Ａ〜１４Ｉのうち、方向入力ボタン１４Ａ、ボタン１４Ｂ、ボタン１４Ｃ、ボタン１４Ｄ、ボタン１４Ｅ、および電源ボタン１４Ｆは、下側ハウジング１１の内側面に設けられる。方向入力ボタン１４Ａは例えば選択操作等に用いられ、各ボタン１４Ｂ〜１４Ｅは例えば決定操作やキャンセル操作等に用いられる。電源ボタン１４Ｆは、撮像装置１０の電源をオン／オフするために用いられる。ここでは、方向入力ボタン１４Ａおよび電源ボタン１４Ｆは、下側ハウジング１１の中央付近に設けられる下側ＬＣＤ１２に対して一方の側の（図１では左側）に設けられ、ボタン１４Ｂ〜１４Ｅは下側ＬＣＤ１２に対して他方の側（図１では右側）に設けられる。なお、電源ボタン１４Ｆは、図１６および図１７（ｃ）に示されるように、下側ハウジング１１の右側面に設けられてもよい。方向入力ボタン１４Ａは、十字の形状を有しており、縦横の長さがともに２０ｍｍ程度である。方向入力ボタン１４Ａは、その中心が下側ハウジング１１の左端から２０ｍｍ程度、下側ハウジング１１の下端から４０ｍｍ程度の位置に設けられる。電源ボタン１４Ｆは、円形形状を有しており、その中心が下側ハウジング１１の左端から２５ｍｍ程度、下側ハウジング１１の下端から１０ｍｍ程度の位置に設けられる。各ボタン１４Ｂ〜１４Ｅは、円形形状を有しており、それぞれ半径が５ｍｍ程度である。ボタン１４Ｂは、その中心が下側ハウジング１１の右端から１０ｍｍ程度、下側ハウジング１１の下端から４０ｍｍ程度の位置に設けられる。ボタン１４Ｃは、その中心が下側ハウジング１１の右端から２０ｍｍ程度、下側ハウジング１１の下端から４０ｍｍ程度の位置に設けられる。ボタン１４Ｄは、その中心が下側ハウジング１１の右端から２０ｍｍ程度、下側ハウジング１１の下端から５０ｍｍ程度の位置に設けられる。ボタン１４Ｅは、その中心が下側ハウジング１１の右端から２５ｍｍ程度、下側ハウジング１１の下端から４５ｍｍ程度の位置に設けられる。方向入力ボタン１４Ａおよびボタン１４Ｂ〜１４Ｅは、撮像装置１０に対する各種操作（後述）を行うために用いられる。
【００４６】
また、図３（ａ）は閉状態における撮像装置１０の左側面図であり、図３（ｂ）は当該撮像装置１０の正面図であり、図３（ｃ）は当該撮像装置１０の右側面図であり、図３（ｄ）は当該撮像装置１０の背面図である。図３（ｃ）に示されるように、また、図３（ａ）に示されるように、音量ボタン１４Ｉは、下側ハウジング１１の左側面に設けられる。音量ボタン１４Ｉは、撮像装置１０が備えるスピーカの音量を調整するために用いられる。また、図３（ｄ）に示されるように、ボタン１４Ｈは、下側ハウジング１１の上面の右端部に設けられる。ボタン１４Ｇは、下側ハウジング１１の上面の左端部に設けられる。なお、ボタン１４Ｈは、その右端が下側ハウジング１１の右端まで延びていることが好ましいが、そうでなくてもよい。なお、前者の場合、ボタン１４Ｈの右側面と下側ハウジング１１の右側面が略面一になるように設計するのが好ましい。また、ボタン１４Ｈは、その裏端が下側ハウジング１１の裏端まで延びていることが好ましいが、そうでなくてもよい。なお、前者の場合、ボタン１４Ｈの裏面と下側ハウジング１１の裏面が略面一になるように設計するのが好ましい。なお、ボタン１４Ｇについても同様である。
【００４７】
具体的には、ボタン１４Ｈおよび１４Ｇは、左右方向の長さが２０ｍｍ程度、幅（厚さ方向の長さ、すなわち、図示ｚ方向の長さ）が１０ｍｍ程度である。各ボタン１４Ｇおよび１４Ｈは、撮像装置１０に対して例えば撮影指示操作（シャッター操作）を行うために用いられる。なお、ボタン１４Ｈおよび１４Ｇの幅は、下側ハウジング１１の厚みの５０％以上とするのが好ましい。各ボタン１４ＧおよびＨの両方をシャッターボタンとして機能させてもよく、この場合、右利きのユーザはボタン１４Ｈを使用し、左利きのユーザはボタン１４Ｇを使用することができ、いずれのユーザにも使い勝手が良い。なお、撮像装置１０は、各ボタン１４Ｇおよび１４Ｈを常にシャッターボタンとして有効としておいてもよいし、右利きか左利きかの設定をして（メニュープログラムなどによりユーザに設定入力をさせ、設定されたデータを記憶しておく）、右利き設定のときにはボタン１４Ｈのみ有効とし、左利き設定のときにはボタン１４Ｇのみ有効とするようにしてもよい。また、他の実施形態においては、撮影指示操作を行うためのボタンは下側ハウジング１１の上面に１つのみ設けられてもよい。
【００４８】
図１に示されるように、撮像装置１０は、各操作ボタン１４Ａ〜１４Ｉとは別の入力装置として、タッチパネル１３をさらに備えている。タッチパネル１３は、下側ＬＣＤ１２の画面上に装着されている。なお、本実施形態では、タッチパネル１３は抵抗膜方式のタッチパネルである。ただし、タッチパネルは抵抗膜方式に限らず、任意の押圧式のタッチパネルを用いることができる。本実施形態では、タッチパネル１３として、下側ＬＣＤ１２の解像度と同解像度（検出精度）のものを利用する。ただし、必ずしもタッチパネル１３の解像度と下側ＬＣＤ１２の解像度が一致している必要はない。また、下側ハウジング１１の右側面には挿入口１７（図１および図３（ｄ）に示す点線）が設けられている。挿入口１７は、タッチパネル１３に対する操作を行うために用いられるタッチペン２７を収納することができる。なお、タッチパネル１３に対する入力は通常タッチペン２７を用いて行われるが、タッチペン２７に限らずユーザの指でタッチパネル１３を操作することも可能である。
【００４９】
図３（ａ）に示されるように、下側ハウジング１１の右側面には開閉可能なカバー部１１Ｂが設けられる。このカバー部１１Ｂの内側には、撮像装置１０とメモリカード２８とを電気的に接続するためのコネクタ（図示せず）が設けられる。メモリカード２８は、コネクタに着脱自在に装着される。メモリカード２８は、例えば、撮像装置１０によって撮像された画像のデータを記憶（保存）するために用いられる。なお、上記コネクタおよびそのカバー部１１Ｂは、図１７（ａ）に示されるように、下側ハウジング１１の左側面に設けられてもよい。
【００５０】
図１に示されるように、下側ハウジング１１の軸部１１Ａの左側部分（図１５に示すように、右側部分でもよい）には、３つのＬＥＤ１５Ａ〜１５Ｃが取り付けられる。ここで、撮像装置１０は他の機器との間で無線通信を行うことが可能であり、第１ＬＥＤ１５Ａは、無線通信が確立している場合に点灯する。第２ＬＥＤ１５Ｂは、撮像装置１０の充電中に点灯する。第３ＬＥＤ１５Ｃは、撮像装置１０の電源がオンである場合に点灯する。したがって、３つのＬＥＤ１５Ａ〜１５Ｃによって、撮像装置１０の通信確立状況、充電状況、および、電源のオン／オフ状況をユーザに通知することができる。
【００５１】
以上に説明したように、下側ハウジング１１には、撮像装置１０に対する操作入力を行うための入力装置（タッチパネル１３および各ボタン１４Ａ〜１４Ｉ）が設けられる。したがって、ユーザは、撮像装置１０を使用する際には下側ハウジング１１を把持して撮像装置１０に対する操作を行うことができる。図６は、ユーザが撮像装置１０を両手で把持した様子を示す図である。図６に示すように、ユーザは、各ＬＣＤ１２および２２がユーザの方向を向く状態で、両手の掌と中指、薬指および小指とで下側ハウジング１１の側面および外側面（内側面の反対側の面）を把持する。このように把持することで、ユーザは、下側ハウジング１１を把持したまま、各ボタン１４Ａ〜１４Ｅに対する操作を親指で行い、ボタン１４Ｇおよび１４Ｈに対する操作を人差し指で行うことができる。本実施形態では、下側ハウジング１１を横長に構成し、下側ＬＣＤ１２の左右両側にボタンを設ける構成としたことにより、撮像装置を持ちやすく、かつ、操作のしやすい構成とすることができる。さらに、上述の通り、ボタン配置領域（図１に示すＡ１およびＡ２）の横方向の寸法を少なくとも１５ｍｍ設けるようにしたため、下側ハウジング１１を把持した場合に親指が下側ＬＣＤ１２にかかるのを防ぐことができる。また、図７は、ユーザが撮像装置１０を片手で把持した様子を示す図である。タッチパネル１３に対して入力を行う場合には、図７に示すように、下側ハウジング１１を把持していた一方の手を離して他方の手のみで下側ハウジング１１を把持することによって、当該一方の手でタッチパネル１３に対する入力を行うことができる。この場合にも、下側ハウジング１１を把持した親指が下側ＬＣＤ１２にかかるのを防ぐことができる。また、両手で下側ハウジング１１を把持したまま一方の手の親指（右利きのユーザは右手の親指）でタッチパネル１３に対する入力を行うこともできる。この場合にも、下側ハウジング１１を把持した他方の手の親指（右利きのユーザは左手の親指）がタッチパネル１３にかかるのを防ぐことができる。
【００５２】
一方、上側ハウジング２１には、画像を撮像するための構成（カメラ）、および、撮像した画像を表示するための構成（表示装置）が設けられる。以下、上側ハウジング２１に設けられる構成について説明する。
【００５３】
図１に示すように、撮像装置１０は、上側ＬＣＤ２２を有する。上側ＬＣＤ２２は上側ハウジング２１に収納される。上側ＬＣＤ２２は横長形状であり、長辺方向が上側ハウジング２１の長辺方向に一致するように配置される。上側ＬＣＤ２２は、上側ハウジング２１の内側面（撮像装置１０が閉状態となった場合に内側となる面）に設けられる。したがって、撮像装置１０を使用しない場合には閉状態としておくことによって、上側ＬＣＤ２２の画面が汚れたり傷ついたりすることを防止することができる。なお、下側ＬＣＤ１２と同様、上側ＬＣＤ２２に代えて、他の任意の方式および任意の解像度の表示装置を利用してもよい。なお、詳細は後述するが、上側ＬＣＤ２２は、主に、ユーザに操作の仕方を説明する画像等、撮像操作に関する画像が表示される。なお、他の実施形態においては、上側ＬＣＤ２２上にもタッチパネルを設けてもよい。
【００５４】
また、撮像装置１０は、２つのカメラ２３および２５を有する。各カメラ２３および２５はともに上側ハウジング２１に収納される。図１に示されるように、内側カメラ２３は、上側ハウジング２１の内側面に取り付けられる。一方、図３（ｂ）に示されるように、外側カメラ２５は、内側カメラ２３が取り付けられる面の反対側の面、すなわち、上側ハウジング２１の外側面（撮像装置１０が閉状態となった場合に外側となる面）に取り付けられる。これによって、内側カメラ２３は、上側ハウジング２１の内側面が向く方向を撮像することが可能であり、外側カメラ２５は、内側カメラ２３の撮像方向の逆方向、すなわち、上側ハウジング２１の外側面が向く方向を撮像することが可能である。以上のように、本実施形態では、２つのカメラ２３および２５が撮像方向が互いに逆方向となるように設けられる。したがって、ユーザは撮像装置１０を持ち替えることなく、異なる２方向を撮像することができる。例えば、ユーザは、撮像装置１０からユーザの方を見た景色を内側カメラ２３で撮影することができるとともに、撮像装置１０からユーザの反対側の方向を見た景色を外側カメラ２５で撮影することができる。
【００５５】
また、内側カメラ２３は、上側ハウジング２１の下側の中央部に形成される軸部２１Ａの中央に取り付けられる。つまり、内側カメラ２３は、２つのハウジング１１および２１が接続される部分の中央に取り付けられる。したがって、撮像装置１０を開状態にした場合、内側カメラ２３は、２つのＬＣＤ１２および２２の間に配置されることになる（図１参照）。換言すれば、内側カメラ２３は、撮像装置１０の中心付近に配置されることになる。なお、「撮像装置１０の中心」とは、撮像装置１０の操作面（開状態における各ハウジング１１および２１の内側面からなる面）の中心という意味である。なお、内側カメラ２３は、ＬＣＤ１２および２２の横方向の中心付近に配置されているということもできる。なお、本実施例では、軸部２１Ａは上側ハウジング２１と一体化しており、当該軸部２１Ａの内部に固定的に内側カメラ２３が配置されるので、上側ハウジング２１の開閉に応じて内側カメラ２３の撮影方向が変更される。これにより、カメラの撮影方向を変更するための追加の機構を設けることなく、撮影方向の変更を実現することができる。また、上側ハウジング２１の閉動作により内側カメラ２３は下側ハウジング１１と対向する向きとなるので、撮像装置１０を閉状態にすることによって内側カメラ２３を自動的に保護することができる。
【００５６】
上述のように、本実施形態では内側カメラ２３は撮像装置１０の操作面の中心付近に配置されるべく、軸部２１Ａに設けられる。ただし、他の実施形態においては、内側カメラ２３は、下側ハウジング１１または上側ハウジング２１の軸部以外の位置に設けられてもよい。内側カメラ２３は例えば、上側ハウジング２１の内側面における、軸部２１Ａと上側ＬＣＤ２２との間に設けられてもよい。なお、内側カメラ２３が撮像装置１０の操作面の左右方向に関して略中央に設けられれば、ユーザは、例えば自分を撮影する状況等において、少なくとも左右方向に関しては撮像装置１０の位置を容易に合わせることができる。
【００５７】
ここで、例えば内側カメラ２３が撮像装置１０の操作面の端部（例えば上側ハウジング２１の内側面の上端）に配置される場合を考える。撮像装置１０のような携帯機器を操作する場合、ユーザは、画面が見やすいように、ユーザが撮像装置１０に正対する位置で撮像装置１０を把持するのが通常である。しかし、内側カメラ２３が撮像装置１０の端部に配置されている場合、通常の把持位置（ユーザが撮像装置１０に正対する位置）で撮像装置１０を把持したままでは、内側カメラ２３の撮像範囲にユーザがうまく収まらなくなる。例えば操作面の上端に内側カメラ２３が配置される場合には、通常の把持位置で撮像装置１０を把持したままでは、ユーザのやや上方が撮像範囲となり、ユーザの顔が撮像範囲にうまく収まらなくなる。そのため、内側カメラ２３が撮像装置１０の操作面の端部に配置される場合には、ユーザが撮像範囲内にうまく収まるように、通常の把持位置から撮像装置１０を動かさなければならない。しかし、撮像装置１０からユーザの方を見た景色を撮影する場合にはユーザの視線方向とカメラの撮像方向とが逆になること、および、普段把持している位置とは異なる位置で撮像装置１０を把持しなければならないことから、ユーザが撮像範囲内にうまく収まるように撮像装置１０を配置することはユーザにとって難しい。
【００５８】
これに対して、本実施形態では、撮像装置１０を開状態にした場合に内側カメラ２３は撮像装置１０の中心付近に配置されるので、ユーザは、内側カメラ２３によってユーザ自身を撮影する場合、ユーザが撮像装置１０に正対する位置で撮像装置１０を把持すればよい。つまり、通常の把持位置で撮像装置を把持すれば、ユーザは撮像範囲の中心付近に位置することになり、ユーザ自身を撮像範囲内に収めることが容易になる。以上のように、ユーザから見て撮像装置１０の中心付近となる位置に内側カメラ２３を配置することによって、ユーザが撮像範囲内にうまく収まるようにユーザ自身を撮影することが容易になる。
【００５９】
また、図３（ｂ）に示されるように、外側カメラ２５は、撮像装置１０を開状態とした場合において上側ハウジング２１の上部（下側ハウジング１１から（上側ハウジング２１の中央よりも）遠い側の部分）に配置される。これは、撮像装置１０を使用する際にユーザは下側ハウジング１１を把持するので、下側ハウジング１１に近い側に外側カメラ２５を配置すると、外側カメラ２５の撮像範囲にユーザの手が入ってしまうおそれがあるからである。本実施形態では、外側カメラ２５は、その中心が上側ハウジング２１の右端から２０ｍｍ程度、撮像装置１０を開状態とした場合における上側ハウジング２１の上端から２０ｍｍ程度の位置に設けられる。なお、外側カメラ２５は撮像装置１０を把持するユーザを撮影するものではないので、撮像装置１０の中心に設ける必要性が低い。また、ユーザは基本的に下側ハウジング１１を把持するので下側ハウジング１１は適度な厚みがあった方が把持しやすい一方、折りたたんだときの厚みは薄い方が携帯性が高いため、上側ハウジング２１は極力薄くするのが好ましい。それゆえ、本実施形態においては、上側ハウジング２１の中央には視認性を考慮して上側ＬＣＤ２２を配置し、外側カメラ２５は上側ＬＣＤ２２の配置位置を避けて上側ハウジング２１の上部に配置することとした。これにより、上側ＬＣＤ２２と外側カメラ２５の配置が重ならないので上側ハウジング２１を薄型化することができる。また、ユーザは基本的に下側ハウジング１１を把持するので、外側カメラ２５を上側ハウジング２１側に設けることによって、下側ハウジング１１を把持する指が外側カメラ２５の撮像範囲に入ることを防止することができる。
【００６０】
また、図３（ｂ）に示されるように、音声入力装置としてマイク（図１０に示すマイク４２）は、上側ハウジング２１に収納されている。具体的には、マイクは、内側カメラ２３と同様、上側ハウジング２１の軸部２１Ａに取り付けられる。本実施形態では、マイクは、内側カメラ２３の周囲（図ではｙ軸の側方）に取り付けられ、より具体的には、内側カメラ２３から１０ｍｍ離れた側方（図ではｙ軸正方向側の側方）に取り付けられる。また、軸部２１Ａにおいては、マイクが撮像装置１０外部の音を検知することができるように、マイクに対応する位置（内側カメラ２３の側方）にマイクロフォン用孔２１Ｃが設けられる。なお、図１５に示されるように、マイクは下側ハウジング１１に収納されてもよい。図１５においては、マイクロフォン用孔１６が下側ハウジング１１の内側面、具体的には、下側ハウジング１１の内側面の左下部分（ボタン配置領域Ａ１）に設けられる。マイクは、下側ハウジング１１内における、マイクロフォン用孔１６の近傍に配置される。
【００６１】
図３（ｂ）に示されるように、上側ハウジング２１の外側面には、第４ＬＥＤ２６が取り付けられる。第４ＬＥＤ２６は、外側カメラ２５の周囲（本実施形態では、外側カメラ２５の右側。図１７（ｂ）に示される例では、開状態において外側カメラ２５の上側）に取り付けられる。第４ＬＥＤ２６は、内側カメラ２３または外側カメラ２５によって撮影が行われた（シャッターボタンが押下された）時点で点灯する。また、内側カメラ２３または外側カメラ２５によって動画が撮影される間点灯する。第４ＬＥＤ２６によって、撮像装置１０による撮影が行われた（行われている）ことを撮影対象者に通知することができる。
【００６２】
また、上側ハウジング２１の内側面はほぼ平面状に形成される。図１に示すように、当該内側面の中央には、上側ＬＣＤ２２を露出させるための開口部２１Ｂが形成される。上側ハウジング２１の内部に収納される上側ＬＣＤ２２の画面は、開口部２１Ｂから露出する。また、上記開口部２１Ｂの左右両側には音抜き孔２１Ｄがそれぞれ１つずつ形成される。音抜き孔２１Ｄの奥の上側ハウジング２１内にはスピーカが収納されている。音抜き孔２１Ｄは、スピーカからの音を外部に放出するための孔である。
【００６３】
このように、上側ハウジング２１の内側面には、中央に設けられる上側ＬＣＤ２２用の開口部２１Ｂの左右両側に非画面領域（図１に示す点線領域Ｂ１およびＢ２。具体的には、スピーカを配置するための領域；スピーカ配置領域）がそれぞれ設けられる。ここで、本実施形態では、下側ハウジング１１および上側ハウジング２１の左右方向（図示ｙ方向）の長さ（幅）は同じである。さらに、下側ＬＣＤ１２および上側ＬＣＤ２２の左右方向の幅は同じであり、かつ、左右方向に関して同じ位置に配置される。そのため、上記スピーカ配置領域は、上記ボタン配置領域と左右方向の位置が一致するように設けられる。スピーカ配置領域は、ボタン配置領域と同様、横方向の寸法が少なくとも１５ｍｍ以上（好ましくは２０ｍｍ以上で、より好ましくは３０ｍｍ〜４０ｍｍ程度。本実施形態では、３２ｍｍ）となるように設計される。本実施形態では、２つの音抜き孔２１Ｄは、左右方向については、各スピーカ配置領域の左右方向における中央部付近に配置される。また、上下方向については、各スピーカ配置領域の下部領域（下側ハウジング１１に近い側の領域）に配置される。なお、図１５に示されるように、スピーカおよび音抜き孔２１Ｄは図１よりもやや上側に配置されてもよい。また、図１５に示されるように、１つのスピーカに対して複数個（図１５では６個）の音抜き孔２１Ｄが設けられてもよい。
【００６４】
上記のように、本実施形態では、下側ハウジング１１および上側ハウジング２１に左右方向に関して同じ位置に非画面領域がそれぞれ設けられる。これによって、撮像装置１０は、図５に示すような横持ちで把持される場合だけでなく、縦持ち（図５に示す状態から撮像装置１０を左または右回りに９０°回転させた状態）で把持される場合にも持ちやすい構成となっている。図８および図９は、ユーザが縦持ちで撮像装置１０を把持した様子を示す図である。なお、図８は撮像装置１０が左手で把持された様子を示し、図９は撮像装置１０が右手で把持された様子を示している。なお、右利きのユーザは、図５に示す状態から撮像装置１０を左回りに９０°回転させて、図８に示すように撮像装置１０を左手で把持すると良い。また、左利きのユーザは、図５に示す状態から撮像装置１０を右回りに９０°回転させて、図９に示すように撮像装置１０を右で把持すると良い。いずれの場合であっても、ユーザは、親指を突起部（軸部１１Ａおよび２１Ａ）に当接させ、人指し指を下側ハウジング１１の上側面に当接させて撮像装置１０を把持することができる。なお、上述したように、下側ハウジング１１の外側面と上側ハウジング２１の外側面との間には段差がつけられている（図２参照）ので、この段差に人指し指を当接させることで撮像装置１０を安定的に把持することができる。また、撮像装置１０を把持していない利き手でシャッターボタン（ボタン１４Ｇまたは１４Ｈ）を容易に押すことができる。
【００６５】
上記のように各ＬＣＤ１２および２２の両側には非画面領域が設けられているので、いずれの手で撮像装置１０を縦持ちで把持する場合であっても、画面に親指がかかることがない。すなわち、縦持ちで把持する場合についても、撮像装置１０は持ちやすく、かつ、画面の視認性やタッチパネルの操作性は担保されている。また、図４に示すように、突起部は、下側ハウジング１１に対して、各ボタン１４Ａ〜１４Ｅ（図４では方向入力ボタン１４Ａ）のキートップよりも突起している。これによって、撮像装置１０を縦持ちで把持している親指が仮にボタンにかぶったとしても、ユーザが誤ってボタンを押下してしまう可能性が低く、誤入力を防止することができる。さらに、開状態における撮像装置１０の縦寸法は１００ｍｍ〜２００ｍｍであるので、縦持ちにした場合でも、横持ちにした場合の撮像装置１０の幅と同程度の十分な幅があり、持ちにくくなることがない。なお、縦持ちにする場合には、ハウジングの開閉角度を１８０°よりも小さい上記所定角度としても良い。ハウジングの開閉角度を１８０°よりも若干小さい角度とすることによって、各ハウジング１１および２１の外側面が手の形状によりフィットし、撮像装置１０をより持ちやすくなる。
【００６６】
以上に説明したように、上側ハウジング２１には、画像を撮像するための構成であるカメラ２３および２５、および、撮像された画像を表示するための表示手段である上側ＬＣＤ２２が設けられる。一方、下側ハウジング１１には、撮像装置１０に対する操作入力を行うための入力装置（タッチパネル１３および各ボタン１４Ａ〜１４Ｉ）が設けられる。したがって、撮像装置１０を使用する際には、ユーザは、上側ＬＣＤ２２に表示される撮像画像（カメラによって撮像された画像）を見ながら、下側ハウジング１１を把持して入力装置に対する入力を行うことができる。
【００６７】
また、撮像装置１０は、ユーザによって把持された状態で撮影を行う他、台等に載置した状態で撮影を行うことにも適している。具体的には、下側ハウジング１１を載置面上に載置し、上側ハウジング２１が下側ハウジング１１に対して所望の角度となるように、２つのハウジング１１および２１の開閉角度を調節する。これによって、ユーザが撮像装置１０を把持しない場合でも、上側ハウジング２１（カメラの撮影方向）を任意の角度にして撮影を行うことができる。また、撮像装置１０は２つのカメラ２３および２５を備えるので、内側カメラ２３と外側カメラ２５との間で撮影を行うカメラを切り替えることによって、台に載置された撮像装置１０を動かすことなく、異なる方向を撮影することができる。なお、いずれのカメラで撮影を行う場合でも、２つのハウジング１１および２１の開閉角度を調節することによって撮影方向を変更することができる。なお、撮像装置１０は、シャッターボタンを押下してから所定時間後に撮影が行われるセルフタイマー機能を有していてもよい。セルフタイマー機能を使用して撮影を行う場合にはユーザが撮像装置１０を把持しないので、本実施形態のようにカメラの撮影方向を任意の方向に調整することは、特に便利である。さらに、本実施形態では、互いに異なる向きを撮像する２つのカメラ２３および２５は、ともに上側ハウジング２１に設けられる。したがって、撮像装置１０を載置して撮影を行う場合であっても、２つのカメラ２３および２５の両方を使用することができる。さらに、本実施形態では、下側ハウジング１１が横長に構成されるので、撮像装置１０を載置する場合における安定感が増し、撮像装置１０を倒れにくくすることができる。
【００６８】
また、撮像装置１０は、カメラ２３または２５によって撮像されたリアルタイムの画像を表示するＬＣＤを、例えばユーザの切替指示によって上側ＬＣＤ２２と下側ＬＣＤ１２との間で切り替えることができるようにしてもよい。このとき、例えば撮像装置１０を台に載置した状態で使用する場合には、リアルタイムの画像を下側ＬＣＤ１２に表示するように切り替えるとよい。撮像装置１０を台に載置した状態で使用する場合、カメラの撮影方向を調節するために上側ハウジング２１の角度を変更する必要があるので、角度を変更する必要がない下側ハウジング１１の下側ＬＣＤ１２にリアルタイムの画像を表示した方がユーザにとって画像が見やすいからである。
【００６９】
また、上記の構成によれば、撮像装置１０は入力装置としてボタンとタッチパネルとの両方を備えているので、撮像装置１０は、入力操作に使用すべき入力装置を、当該入力操作の種類（性質）に応じて適切な方を選択して決定することができる。例えば、例えばシャッター操作については、操作したことをユーザが実感することが好ましく、また、操作に一定のストロークがあった方が好ましいと考えられるので、ボタンを用いてシャッター操作を行わせるようにしてもよい。また、後述する編集処理における操作については、タッチパネルを用いて操作を行わせることが好ましい。
【００７０】
なお、本実施形態においては、下側ハウジング１１と上側ハウジング１２とが回転可能に接続（連結）されることによって撮像装置１０が折り畳み可能であるように構成された。ここで、他の実施形態においては、下側ハウジング１１と上側ハウジング１２とは、他の構成および方式によって連結されてもよい。例えば、平板状の２つのハウジングを、平行な状態のまま一方のハウジングが他方に対してスライドまたは回転することが可能なように接続した構成であってもよい。これによっても上記実施形態と同様、２つのハウジングを開状態および閉状態の両方の状態とすることができる。また、上記実施形態において、上側ハウジング２１を、軸部２１Ａとそれ以外の部分とが上下方向を軸として回転可能なように構成してもよい。これによれば、上側ハウジング２１に１つのカメラを設けるのみで、ユーザの視線方向にもその逆方向にも容易にカメラを向けることができる。
【００７１】
（撮像装置１０の内部構成）
次に、図１０を参照して、撮像装置１０内部の電気的構成について説明する。図１０は、撮像装置１０の内部構成を示すブロック図である。図１０に示すように、撮像装置１０は、ＣＰＵ３１、メインメモリ３２、メモリ制御回路３３、保存用データメモリ３４、プリセットデータ用メモリ３５、メモリカードインターフェース（メモリカードＩ／Ｆ）３６、無線通信モジュール３７、ローカル通信モジュール３８、リアルタイムクロック（ＲＴＣ）３９、電源回路４０、およびインターフェース回路（Ｉ／Ｆ回路）４１等の電子部品を備えている。これらの電子部品は、電子回路基板上に実装されて下側ハウジング１１（または上側ハウジング２１でもよい）内に収納される。
【００７２】
なお、撮像装置１０が備える各種電子回路や電池は、上側ハウジング２１および下側ハウジング１１のいずれに収納されてもよいが、下側ハウジング１１の重量は上側ハウジング２１の重量よりも重くなるように設計されることが好ましい。具体的には、下側ハウジング１１は１００〜２００ｇであることが好ましく、上側ハウジング２１は５０〜１００ｇであることが好ましい。さらに、下側ハウジング１１は１３０〜１５０であり、上側ハウジング２１は７０〜９０ｇであることがより好ましい。本実施形態では、下側ハウジング１１が１５０ｇ程度、上側ハウジングが７５ｇ程度である。また、下側ハウジング１１の重量と上側ハウジング２１の重量との比率は、（下側ハウジング１１の重量）：（上側ハウジング２１の重量）＝１．５：１〜３：１（より好ましくは、２：１）であることが好ましい。例えば、電池、ＣＰＵが搭載される回路基板、およびカードコネクタ等は、下側ハウジング１１内に収納されることが好ましい。また、上側ハウジング２１には、ＬＣＤユニット（上側ＬＣＤ２２等）、撮像ユニット（各カメラ２３および２５等）、およびスピーカユニット等、最小限の部品を収納するようにするのが好ましい。下側ハウジング１１の重量を上側ハウジング２１の重量よりも重くなるように設計することによって、撮像装置１０を台等に載置した場合に倒れにくくなる。また、ユーザが把持する下側ハウジング１１の方を上側ハウジング２１よりも重くすることによって、撮像装置１０を把持した際の安定感が増し、撮影時の手ぶれを防止することができる。
【００７３】
ＣＰＵ３１は、所定のプログラムを実行するための情報処理手段である。本実施形態では、所定のプログラムが撮像装置１０内のメモリ（例えば保存用データメモリ３４）に記憶されており、ＣＰＵ３１は、当該所定のプログラムを実行することによって、後述する撮影処理（図１１）を実行する。なお、ＣＰＵ３１によって実行されるプログラムは、撮像装置１０内のメモリに予め記憶されていてもよいし、メモリカード２８から取得されてもよいし、他の機器との通信によって他の機器から取得されてもよい。
【００７４】
ＣＰＵ３１には、メインメモリ３２、メモリ制御回路３３、およびプリセットデータ用メモリ３５が接続される。また、メモリ制御回路３３には保存用データメモリ３４が接続される。メインメモリ３２は、ＣＰＵ３１のワーク領域やバッファ領域として用いられる記憶手段である。すなわち、メインメモリ３２は、上記撮影処理に用いられる各種データを記憶したり、外部（メモリカード２８や他の機器等）から取得されるプログラムを記憶したりする。本実施形態では、メインメモリ３２として例えばＰＳＲＡＭ（Ｐｓｅｕｄｏ−ＳＲＡＭ）を用いる。保存用データメモリ３４は、ＣＰＵ３１によって実行されるプログラムや各カメラ２３および２５によって撮像された画像のデータ等を記憶するための記憶手段である。保存用データメモリ３４は、例えばＮＡＮＤ型フラッシュメモリで構成される。メモリ制御回路３３は、ＣＰＵ３１の指示に従って、保存用データメモリ３４に対するデータの読み出しおよび書き込みを制御する回路である。プリセットデータ用メモリ３５は、撮像装置１０において予め設定される各種パラメータ等のデータ（プリセットデータ）を記憶するための記憶手段である。プリセットデータ用メモリ３５としては、ＳＰＩ（Ｓｅｒｉａｌ  Ｐｅｒｉｐｈｅｒａｌ  Ｉｎｔｅｒｆａｃｅ）バスによってＣＰＵ３１と接続されるフラッシュメモリを用いることができる。
【００７５】
メモリカードＩ／Ｆ３６はＣＰＵ３１に接続される。メモリカードＩ／Ｆ３６は、コネクタに装着されたメモリカード２８に対するデータの読み出しおよび書き込みをＣＰＵ３１の指示に従って行う。本実施形態では、各カメラ２３および２５によって撮像された画像データがメモリカード２８に書き込まれたり、メモリカード２８に記憶された画像データがメモリカード２８から読み出されて保存用データメモリ３４に記憶されたりする。
【００７６】
無線通信モジュール３７は、例えばＩＥＥＥ８０２．１１．ｂ／ｇの規格に準拠した方式により、無線ＬＡＮに接続する機能を有する。また、ローカル通信モジュール３８は、所定の通信方式により同種の撮像装置との間で無線通信を行う機能を有する。無線通信モジュール３７およびローカル通信モジュール３８はＣＰＵ３１に接続される。ＣＰＵ３１は、無線通信モジュール３７を用いてインターネットを介して他の機器との間でデータを送受信したり、ローカル通信モジュール３８を用いて同種の他の撮像装置との間でデータを送受信したりすることができる。
【００７７】
また、ＣＰＵ３１には、ＲＴＣ３９および電源回路４０が接続される。ＲＴＣ３９は、時間をカウントしてＣＰＵ３１に出力する。ＣＰＵ３１は、ＲＴＣ３９によって計時された時間に基づき現在時刻（日付）を計算する。電源回路４０は、撮像装置１０が有する電源（電池；下ハウジングに収納される）からの電力を制御し、撮像装置１０の各部品に電力を供給する。
【００７８】
また、撮像装置１０は、マイク４２およびアンプ４３を備えている。マイク４２およびアンプ４３はそれぞれＩ／Ｆ回路４１に接続される。マイク４２は、ユーザの音声を検知して音声信号をＩ／Ｆ回路４１に出力する。アンプ４３は、Ｉ／Ｆ回路４１から音声信号を増幅してスピーカ（図示せず）から出力させる。Ｉ／Ｆ回路４１はＣＰＵ３１に接続される。また、タッチパネル１３はＩ／Ｆ回路４１に接続される。Ｉ／Ｆ回路４１は、マイク４２およびアンプ４３（スピーカ）の制御を行う音声制御回路と、タッチパネルの制御を行うタッチパネル制御回路とを含む。音声制御回路は、音声信号に対するＡ／Ｄ変換およびＤ／Ａ変換を行ったり、音声信号を所定の形式の音声データに変換したりする。タッチパネル制御回路は、タッチパネル１３からの信号に基づいて所定の形式のタッチ位置データを生成してＣＰＵ３１に出力する。タッチ位置データは、タッチパネル１３の入力面のうちで入力が行われた位置の座標を示す。なお、タッチパネル制御回路は、タッチパネル１３からの信号の読み込み、および、タッチ位置データの生成を所定時間に１回の割合で行う。ＣＰＵ３１は、タッチ位置データを取得することにより、タッチパネル１３に対して入力が行われた位置を知ることができる。
【００７９】
操作部１４は、上記各ボタン１４Ａ〜１４Ｉからなり、ＣＰＵ３１に接続される。操作部１４からＣＰＵ３１へは、各ボタン１４Ａ〜１４Ｉに対する入力状況（押下されたか否か）を示す操作データが出力される。ＣＰＵ３１は、操作部１４から操作データを取得することによって、操作部１４に対する入力に従った処理を実行する。
【００８０】
各カメラ２３および２５はＣＰＵ３１に接続される。各カメラ２３および２５は、ＣＰＵ３１の指示に従って画像を撮像し、撮像した画像データをＣＰＵ３１に出力する。本実施形態では、ＣＰＵ３１は各カメラ２３および２５のいずれか一方に対して撮像実行指示を行い、撮像実行指示を受けたカメラが画像を撮像して画像データをＣＰＵ３１に送る。
【００８１】
また、各ＬＣＤ１２および２２はＣＰＵ３１に接続される。各ＬＣＤ１２および２２はＣＰＵ３１の指示に従って画像を表示する。本実施形態では、ＣＰＵ３１は、各カメラ２３および２５のいずれかから取得した画像を上側ＬＣＤ２２に表示させ、所定の処理によって生成した操作画面を下側ＬＣＤ１２に表示させる。
【００８２】
なお、図示していないが、撮像装置１０は自身を振動させる振動機能を有している。振動機能は、例えばユーザに何らかの通知を行う（例えば、ユーザの操作ミスやメモリの容量オーバー等を通知する）目的で用いられる。本実施形態では、ユーザが下側ハウジング１１を把持する使用態様を想定しているので、振動機能を実現する装置（例えば振動モータやソレノイド等のバイブレータ）は、下側ハウジング２１に収納されることが好ましい。これによって、撮像装置１０（下側ハウジング２１）を把持しているユーザの手にその振動を伝達することができる。
【００８３】
（撮像装置１０における撮影処理）
次に、図１１および図５を参照して、撮像装置１０の動作について説明する。図１１は、撮像装置１０における撮影処理の流れを示すフローチャートである。電源ボタン１４Ｆが押下されることによって撮像装置１０の電源が投入されると、撮像装置１０のＣＰＵ３１は、メインメモリ３２等の初期化を行った後、図１１に示す撮影処理を行うためのプログラムの実行を開始する。なお、図１１に示されるステップＳ１〜Ｓ９の処理ループは、所定時間（例えば１／６０秒）に１回の割合で実行される。
【００８４】
図１１に示すステップＳ１において、ＣＰＵ３１は、内側カメラ２３または外側カメラ２５によって撮像された画像のデータを取得する。本実施形態では、各カメラ２３および２５のいずれか一方のカメラにおいてのみ画像が撮像される。ステップＳ１では、ＣＰＵ３１は、当該一方のカメラからのみ画像データを取得する。なお、本実施形態では、撮影処理の開始時においては、画像の撮像を行うカメラは外側カメラ２５に設定される。ステップＳ１の次にステップＳ２の処理が実行される。
【００８５】
上記ステップＳ１によってカメラ２３または２５から取得された画像データは、下側ＬＣＤ１２に表示される。図１２は、各ＬＣＤ１２および２２に表示される画像の一例を示す図である。なお、図１２においては、後述する入力画像生成処理においてユーザによって入力される画像がない場合における画像を示している。図１２に示されるように、ＣＰＵ３１は、カメラ２３または２５によって撮像されたリアルタイムの画像（撮像画像）５２を下側ＬＣＤ１２に表示させる。なお、上側ＬＣＤ１２には、ユーザに操作の仕方を説明する画像５１が表示される。また、本実施形態においては、ＣＰＵ３１は、撮像画像とともに、各種ボタン画像５３〜６１を下側ＬＣＤ１２に表示させる。各ボタン画像５３〜６１は、その画像の位置に対してユーザがタッチ入力を行うことによって、撮像装置１０に対する指示を行うための画像である。以下、各ボタン画像５３〜６１について説明する。
【００８６】
ペンモード画像５３、消しゴムモード画像５４、およびシールモード画像５５は、編集モードを変更するための画像である。ここで、本実施形態では、ペンモード、シールモード、および消しゴムモードという３つのモードが予め用意される。ペンモードにおいては、タッチパネル１３に対して入力された入力軌跡の画像を撮像画像に付加することができる。シールモードにおいては、予め用意されたシール画像を撮像画像に付加することができる。消しゴムモードにおいては、ペンモードまたはシールモードで付加された画像を消去することができる。ペンモード画像５３は、編集モードをペンモードに変更する指示を行うための画像である。消しゴムモード画像５４は、編集モードを消しゴムモードに変更する指示を行うための画像である。シールモード画像５５は、編集モードをシールモードに変更する指示を行うための画像である。
【００８７】
太さ変更画像５６は、ペンモードにおいて入力される線の太さを変更する指示を行うための画像である。色変更画像５７は、ペンモードにおいて入力される線の色を変更する指示を行うための画像である。全消去画像５８は、ペンモードまたはシールモードで付加された画像を全て消去する指示を行うための画像である。
【００８８】
上記各ボタン画像５３〜５８を用いて指示を行うことによって、ユーザは、下側ＬＣＤ１２に表示される撮像画像の上に（撮像画像に重ねて）画像を入力することができる。以下では、ユーザによって入力される画像を「入力画像」と呼ぶ。入力画像を生成する処理（入力画像生成処理）の詳細については後述する。
【００８９】
終了画像５９は、撮影処理を終了する指示を行うための画像である。撮影指示画像６０は、撮影指示を行うための画像である。本実施形態では、撮影指示とは、下側ＬＣＤ１２に表示されている画像（撮像画像に入力画像を重ねた画像）を保存（記録）する指示である。なお、撮影指示画像６０は、ユーザが右手または左手のどちらの手で操作する場合にも操作しやすいように、下側ハウジング１１の（左右方向に関して）略中央に表示されることが好ましい。したがって、仮に下側ＬＣＤ１２が下側ハウジング１１の略中央に配置されていない場合、ＣＰＵ３１は、下側ＬＣＤ１２の画面中央ではなく、下側ハウジング１１の略中央に配置されるように撮影指示画像６０を表示することが好ましい。また、カメラ切替画像６１は、カメラ切替指示を行うための画像である。カメラ切替指示とは、内側カメラおよび外側カメラ２３および２５のうちで、撮像を行うカメラを切り替える指示である。
【００９０】
ステップＳ２において、ＣＰＵ３１は、各入力装置に対する入力を受け付ける。すなわち、操作部１４から操作データを取得するとともに、タッチパネル１３からタッチ位置データを取得する。取得された操作データおよびタッチ位置データは、メインメモリ３２に記憶される。ステップＳ２の次にステップＳ３の処理が実行される。
【００９１】
ステップＳ３において、ＣＰＵ３１は、カメラ切替指示が行われたか否かを判定する。本実施形態では、カメラ切替指示は、所定のボタン（例えばボタン１４Ｂ、ボタン１４Ｃ、ボタン１４Ｄ、またはボタン１４Ｅ）を押下するか、または、カメラ切替画像６１が表示されている領域をタッチする入力をタッチパネル１３に対して行うことで行われる。したがって、ステップＳ３の判定処理においては、ＣＰＵ３１は、上記所定のボタンが押下されたか、または、カメラ切替画像６１が表示されている領域をタッチする入力が行われたかを判定する。なお、ステップＳ３の判定は、ステップＳ２でメインメモリ３２に記憶された操作データおよびタッチ位置データを参照することによって行うことができる。ステップＳ３の判定結果が肯定の場合、ステップＳ４の処理が実行される。一方、ステップＳ３の判定結果が否定の場合、後述するステップＳ５の処理が実行される。
【００９２】
ステップＳ４において、ＣＰＵ３１は、画像の撮像を行うカメラを切り替える。すなわち、画像の撮像を行うカメラが内側カメラ２３である場合には、画像の撮像を行うカメラを外側カメラ２５に変更し、画像の撮像を行うカメラが外側カメラ２５である場合には、画像の撮像を行うカメラを内側カメラ２３に変更する。具体的には、ＣＰＵ３１は、各カメラ２３および２５のうちで画像の撮像を行っている一方のカメラに対して動作を停止する旨の指示を行うととともに、他方のカメラに対して撮像を行う旨の指示（撮像実行指示）を行う。上記ステップＳ４の処理が実行された場合、次に行われるステップＳ１では切替後のカメラで撮像された画像のデータがＣＰＵ３１によって取得され、次に行われるステップＳ６では切替後のカメラで撮像された画像が下側ＬＣＤ１２に表示されることになる。ステップＳ４の後、ステップＳ１の処理が再度実行される。
【００９３】
ステップＳ５においては、ＣＰＵ３１は、入力画像生成処理を行う。入力画像生成処理とは、ユーザによる入力によって上記入力画像を生成する処理である。以下、図１３および図１４を参照して、入力画像生成処理の詳細を説明する。
【００９４】
図１３は、図１１に示す入力画像生成処理（ステップＳ５）の流れを示すフローチャートである。入力画像生成処理においては、まずステップＳ１１において、ＣＰＵ３１は、入力画像の生成操作が行われたか否かを判定する。すなわち、タッチパネル１３の入力面のうちで撮像画像が表示されている領域をタッチする入力が行われたかを判定する。ステップＳ１１の判定は、ステップＳ２において取得されたタッチ位置データが、撮像画像が表示されている領域内の位置を示すか否かによって行うことができる。ステップＳ１１の判定結果が肯定の場合、ステップＳ１２の処理が実行される。一方、ステップＳ１１の判定結果が否定の場合、後述するステップＳ１７の処理が実行される。
【００９５】
ステップＳ１２において、ＣＰＵ３１は、現在の編集モードがペンモードであるか否かを判定する。なお、本実施形態では、編集処理の開始時には編集モードがペンモードに設定されているものとする。ステップＳ１２の判定結果が肯定の場合、ステップＳ１３の処理が実行される。一方、ステップＳ１２の判定結果が否定の場合、後述するステップＳ１４の処理が実行される。
【００９６】
ステップＳ１３においては、ペンモード時における処理が実行される。すなわち、ＣＰＵ３１は、撮像画像上において行われたタッチ入力の軌跡の画像を描画する。具体的には、ステップＳ２において現在までに取得されたタッチ位置データにより示される各位置を結ぶ線の画像を、各ＬＣＤ１２および２２に表示すべき画像データを格納するメモリ（フレームバッファ）に描画する。なお、描画される線の太さおよび色は、後述するステップＳ２０で設定される内容に従って決められる。ステップＳ１３の処理は、タッチパネル１３に対してユーザが入力を行った位置の軌跡を表す画像を生成して描画する処理であればどのような処理であってもよい。このような処理の一例は、後述するステップＳ５２およびＳ５３に示される。図１４は、ペンモード時において各ＬＣＤ１２および２２に表示される画像の一例を示す図である。ステップＳ１３の処理が実行される場合、後述する表示処理（ステップＳ６）において、下側ＬＣＤ１２に表示されている撮像画像に重ねて、ユーザが描いた軌跡を表す入力画像が表示されることとなる（図１４参照）。ステップＳ１３の次に、後述するステップＳ１７の処理が実行される。
【００９７】
一方、ステップＳ１４において、ＣＰＵ３１は、現在の編集モードがシールモードであるか否かを判定する。ステップＳ１４の判定結果が肯定の場合（すなわち、現在の編集モードがシールモードである場合）、ステップＳ１５の処理が実行される。一方、ステップＳ１４の判定結果が否定の場合（すなわち、現在の編集モードが消しゴムモードである場合）、後述するステップＳ１６の処理が実行される。
【００９８】
ステップＳ１５においては、シールモード時における処理が実行される。すなわち、ＣＰＵ３１は、撮像画像上においてタッチ入力が行われた位置に所定のシール画像を描画する。具体的には、ステップＳ２において取得されたタッチ位置データにより示される位置に所定のシール画像を描画する。なお、ステップＳ１５の処理は、タッチパネル１３に対してユーザが入力を行った位置に所定のシール画像を生成して描画する処理であればどのような処理であってもよい。このような処理の一例は、後述するステップＳ６０およびＳ６１に示される。ステップＳ１５の処理が実行される場合、後述する表示処理（ステップＳ６）において、下側ＬＣＤ１２に表示されている撮像画像に重ねて、所定のシール画像である入力画像が表示されることとなる。なお、ＣＰＵ３１は、シール画像を複数用意しておき、複数のシール画像の中から描画すべきシール画像をユーザに選択させるようにしてもよい。ステップＳ１５の次に、後述するステップＳ１７の処理が実行される。
【００９９】
一方、ステップＳ１６においては、消しゴムモード時における処理が実行される。すなわち、ＣＰＵ３１は、タッチパネル１３に対する入力に応じて、編集画像上の入力画像（軌跡の画像またはシール画像）を消去する。具体的には、ステップＳ２において取得されたタッチ位置データにより示される位置に描画されている入力画像を消去する。ステップＳ１６の次に、ステップＳ１７の処理が実行される。
【０１００】
ステップＳ１７において、ＣＰＵ３１は、入力画像を全て消去する指示が行われたか否かを判定する。具体的には、上記全消去画像５８が表示されている領域をタッチする入力が行われたかを判定する。ステップＳ１７の判定結果が肯定の場合、ステップＳ１８の処理が実行される。一方、ステップＳ１７の判定結果が否定の場合、ステップＳ１８の処理がスキップされて後述するステップＳ１９の処理が実行される。
【０１０１】
ステップＳ１８において、ＣＰＵ３１は、現在までに生成・描画された入力画像を全て消去する。このように、ユーザは、全消去画像５８をタッチすることによって、入力画像を描く操作を最初からやり直すことができる。ステップＳ１８の次にステップＳ１９の処理が実行される。
【０１０２】
ステップＳ１９において、ＣＰＵ３１は、入力画像の生成操作に関する設定を変更する指示が行われたか否かを判定する。具体的には、上記各ボタン画像５３〜５７が表示されている領域をタッチする入力が行われたかを判定する。ステップＳ１９の判定結果が肯定の場合、ステップＳ２０の処理が実行される。一方、ステップＳ１９の判定結果が否定の場合、ステップＳ１９の処理がスキップされ、ＣＰＵ３１は入力画像生成処理を終了する。
【０１０３】
ステップＳ２０において、ＣＰＵ３１は、行われた指示に応じて設定を変更する。すなわち、各モード画像５３〜５５のいずれかに対してタッチ入力が行われた場合には、ＣＰＵ３１は、タッチ入力が行われたモード画像に対応するモードに編集モードを移行する。また、太さ変更画像５６に対してタッチ入力が行われた場合には、ＣＰＵ３１は、ペンモードにおいて生成される線（軌跡）の太さの設定を変更する。具体的には、ＣＰＵ３１は、太さの異なる線の画像を複数表示し、太さの異なる複数の線のうちからユーザに所望の太さの線を選択させ、選択された太さとなるように線の太さの設定を変更する。また、色変更画像５７に対してタッチ入力が行われた場合には、ＣＰＵ３１は、ペンモードにおいて生成される線（軌跡）の色を変更する。具体的には、ＣＰＵ３１は、複数の色の画像を複数表示し、複数の色のうちからユーザに所望の色を選択させ、選択された色となるように線の色の設定を変更する。以上のステップＳ２０の終了後、ＣＰＵ３１は入力画像生成処理を終了する。
【０１０４】
以上のステップＳ５によって、ユーザは、下側ＬＣＤ１２に表示される撮像画像の上に（撮像画像に重ねて）画像を入力することができる。なお、本実施形態では、撮像画像にユーザが描いた画像や予め用意されたシール画像を付加する処理を例として説明したが、他の実施形態においては、ＣＰＵ３１は、撮像画像を歪ませる処理や、撮像画像内の人の顔の画像が含まれる場合において顔の表情を変える処理（画像認識処理によって顔の特徴点を検出し、当該特徴点の位置を変更する処理）や、ある線に関して線対称となる画像へと撮像画像を変換する処理等を実行してもよい。
【０１０５】
ステップＳ１１の説明に戻り、ステップＳ５の次のステップＳ６において、ＣＰＵ３１は、各ＬＣＤ１２および２２に所定の画像を表示させる表示処理を実行する。具体的には、上側ＬＣＤ１２には、図１２に示す画像５１のように、ユーザに操作の仕方を説明する画像が表示される。下側ＬＣＤ１２には、ステップＳ１で取得された撮像画像が表示されるとともに、各ボタン画像５３〜６１が表示される（図１２参照）。さらに、入力画像生成処理において入力画像が生成・描画されている場合には、撮像画像の上に入力画像が表示される（図１４参照）。なお、本実施形態では、ステップＳ１〜Ｓ６の処理が繰り返し実行されるので、撮像画像は毎回異なる画像となる。したがって、ユーザは、カメラ２３または２５によってリアルタイムで撮像される画像の上に入力画像を付加することができる。ステップＳ６の次にステップＳ７の処理が実行される。
【０１０６】
ステップＳ７において、ＣＰＵ３１は、撮影指示が行われたか否かを判定する。本実施形態では、撮影指示は、所定のボタン（例えばボタン１４Ｇまたはボタン１４Ｈ）を押下するか、または、撮影指示画像６０が表示されている領域をタッチする入力をタッチパネル１３に対して行うことで行われる。したがって、ステップＳ７の判定処理においては、ＣＰＵ３１は、上記所定のボタンが押下されたか、または、撮影指示画像６０が表示されている領域をタッチする入力が行われたかを判定する。なお、ステップＳ７の判定は、ステップＳ２でメインメモリ３２に記憶された操作データおよびタッチ位置データを参照することによって行うことができる。ステップＳ７の判定結果が肯定の場合、ステップＳ８の処理が実行される。一方、ステップＳ７の判定結果が否定の場合、後述するステップＳ９の処理が実行される。
【０１０７】
ステップＳ８において、ＣＰＵ３１は、下側ＬＣＤ１２に現在表示されている撮像画像および入力画像を保存する。すなわち、ステップＳ５で表示された撮像画像および入力画像のデータが例えば保存用データメモリ３４に記憶される。これによって、ユーザは、撮像画像および撮像画像上に付加された入力画像を保存することができる。ステップＳ８の次にステップＳ９の処理が実行される。
【０１０８】
ステップＳ９において、ＣＰＵ３１は、編集処理を終了するか否かを判定する。この判定は、ユーザによって編集処理を終了する指示が行われたか否かによって行われる。具体的には、ステップＳ９の判定は、下側ＬＣＤ１２に表示される、終了画像５９の領域に対してタッチ入力が行われたか否かによって行われる。ステップＳ９の判定結果が否定の場合、ＣＰＵ３１はステップＳ１の処理を再度実行する。以降、ステップＳ９において撮影処理を終了すると判定されるまで、ステップＳ１〜Ｓ９の処理ループが繰り返し実行される。一方、ステップＳ９の判定結果が肯定の場合、ＣＰＵ３１は、図１１に示す撮影処理を終了する。
【０１０９】
以上に説明した撮影処理によって、ユーザは、撮影指示を行うことに応じて、カメラで撮像されている画像を保存することができる。ここで、本実施形態では、２つの表示装置を有する構成とし、一方の表示装置に現在撮影中の画像を表示するとともに、他方に、操作を説明するための画面を表示する。これによって、ユーザは、現在の撮像画像に加えて、操作を説明するための画面を見ながら撮影操作を行うことができるので、使いやすい撮像装置１０を提供することができる。さらに、本実施形態では、下側ＬＣＤ１２にタッチパネル１３を設ける構成とすることによって、操作をより行いやすくしている。
【０１１０】
また、本実施形態では、ユーザは、ボタン１４Ｇまたはボタン１４Ｈを押下することによって撮影指示を行うことができる。ボタン１４Ｇまたはボタン１４Ｈをシャッターボタンとして用いることで、ユーザは、下側ハウジング１１を両手で把持したままシャッターボタンを押下することができるので、撮影操作を行いやすくなる。なお、他の実施形態においては、ボタン１４Ｂ〜１４Ｅのいくつかをシャッターボタンとして用いてもよい。この場合でも本実施形態と同様、ユーザは、下側ハウジング１１を両手で把持したままシャッターボタンを押下することができる。また、方向入力ボタンＡのいくつかのボタン（例えば１つの方向入力；例えば左入力）およびボタン１４Ｂ〜Ｅのうちの１つのボタン（例えばボタン１４Ｄ）の両方にシャッターボタンの機能を持たせるようにしてもよい。そのようにすれば、左利きのユーザも右利きのユーザもシャッターボタンを容易に操作することができる。
【０１１１】
（撮影処理の変形例）
上記実施形態では、撮影処理において、リアルタイムで取得される画像に対してユーザが入力画像を付加する場合を例として説明したが、撮影処理においては、撮像装置１０によって撮像された画像（静止画）に対してユーザが入力画像を付加するようにしてもよい。以下、図１８〜図２２を参照して、撮影処理の変形例を説明する。
【０１１２】
図１８は、変形例に係る撮影処理の流れを示すフローチャートである。電源ボタン１４Ｆが押下されることによって撮像装置１０の電源が投入されると、撮像装置１０のＣＰＵ３１は、メインメモリ３２等の初期化を行った後、図１８に示す撮影処理を行うためのプログラムの実行を開始する。なお、図１８に示されるステップＳ３１〜Ｓ４４の処理ループは、編集処理（ステップＳ４３）が実行される間を除き、所定時間（例えば１／６０秒）に１回の割合で実行される。
【０１１３】
図１８に示すステップＳ３１において、ＣＰＵ３１は、内側カメラ２３または外側カメラ２５によって撮像された画像のデータを取得する。本変形例では、各カメラ２３および２５のいずれか一方のカメラにおいてのみ画像が撮像される。ステップＳ３１では、ＣＰＵ３１は、当該一方のカメラからのみ画像データを取得する。なお、本変形例では、撮影処理の開始時においては、画像の撮像を行うカメラは外側カメラ２５に設定される。ステップＳ３１の次にステップＳ３２の処理が実行される。
【０１１４】
ステップＳ３２において、ＣＰＵ３１は、各ＬＣＤ１２および２２に所定の画像を表示させる表示処理を実行する。図１９は、ステップＳ３２において各ＬＣＤ１２および２２に表示される画像の一例を示す図である。図１９に示されるように、ＣＰＵ３１は、カメラ２３または２５によって撮像されたリアルタイムの画像（撮像画像）５１を上側ＬＣＤ２２に表示させる。すなわち、ステップＳ３１で取得した画像データを上側ＬＣＤ２２に出力する。また、本変形例では、撮像画像７１に重ねて、現在の日付を示す画像７２が上側ＬＣＤ２２に表示される。
【０１１５】
なお、本変形例では、メインメモリ３２には、上側ＬＣＤ２２に表示される撮像画像の倍率を示す倍率データが記憶される。ステップＳ３２においては、この倍率データにより示される倍率で撮像画像が上側ＬＣＤ２２に表示される。すなわち、ＣＰＵ３１は、撮像画像のうちで表示すべき範囲を上記倍率に従って決定し、決定した範囲の画像を、上側ＬＣＤ２２のサイズに合わせて必要に応じて拡大してから上側ＬＣＤ２２に表示する。なお、撮影処理の開始時においては、倍率データは、予め定められた所定の倍率（例えば、撮像画像の全体が上側ＬＣＤ２２に表示されるような倍率（１倍））を示すように設定される。倍率データの内容は、後述するズーム変更指示が行われた場合に変更される。したがって、撮像画像が拡大されて上側ＬＣＤ２２にされる場合には、撮像画像の全体でなく一部のみが表示されることがある。
【０１１６】
一方、ＣＰＵ３１は、撮像装置１０を操作するための操作画面を下側ＬＣＤ１２に表示させる。図１９に示されるように、ステップＳ３２で表示される操作画面には、保存画像７３Ａ〜７３Ｄと、タッチパネル１３を用いて撮像装置１０に対する各種指示を行うための指示画像７４〜７８とが含まれる。
【０１１７】
保存画像７３Ａ〜７３Ｄは、撮像装置１０によって過去に撮影されて撮像装置１０（またはメモリカード２８でもよい）に保存されている画像（保存画像と呼ぶ）である。本変形例では、保存画像のうち所定数（図１９では４枚）の画像が下側ＬＣＤ１２に表示される。なお、メインメモリ３２には、下側ＬＣＤ１２に表示される保存画像（表示保存画像）を示すデータが表示保存画像データとして記憶されている。表示保存画像データとは、例えば、保存画像に付されたＩＤを示すデータである。また、図１９では、保存画像７３Ａ〜７３Ｄは、撮影された日付（および日時）の順に並べて表示される。ここでは、最も左の保存画像７３Ａが最も古い時期に撮影された画像であり、左から２番目の保存画像７３Ｂ、右から２番目の保存画像７３Ｃ、最も右の保存画像７３Ｄの順に撮影時期が新しくなっている。本変形例では、保存画像を編集する編集処理を行う旨の指示（編集指示）は、表示されている保存画像７３Ａ〜７３Ｄをタッチする入力をタッチパネル１３に対して行うことによって行うことができる。
【０１１８】
また、下側ＬＣＤ１２には上記指示画像として、撮影指示画像７４、カメラ切替画像７５、ズームバー７６、ズームカーソル７７、ならびに、表示変更画像７８Ａおよび７８Ｂが表示される。撮影指示画像７４は、タッチパネル１３を用いて撮影指示を行うための画像である。撮影指示とは、撮像装置１０のカメラ２３または２５に撮影を行わせる指示である。カメラ切替画像７５は、タッチパネル１３を用いてカメラ切替指示を行うための画像である。カメラ切替指示とは、内側カメラおよび外側カメラ２３および２５のうちで、撮像を行うカメラを切り替える指示である。ズームバー７６およびズームカーソル７７は、タッチパネル１３を用いてズーム変更指示を行うための画像である。ズーム変更指示は、上側ＬＣＤ２２に表示される撮像画像を拡大／縮小する指示である。表示変更画像７８Ａおよび７８Ｂは、表示変更指示を行うための画像である。表示変更指示とは、撮像装置１０に保存されている保存画像のうち、保存画像７３Ａ〜７３Ｄとして下側ＬＣＤ１２に表示する保存画像を変更する指示である。これらの各指示の操作方法、および、当該各指示に従って撮像装置１０が実行する処理については後述する。
【０１１９】
図１８の説明に戻り、ステップＳ３２の次にステップＳ３３の処理が実行される。ステップＳ３３において、ＣＰＵ３１は、各入力装置に対する入力を受け付ける。すなわち、操作部１４から操作データを取得するとともに、タッチパネル１３からタッチ位置データを取得する。取得された操作データおよびタッチ位置データは、メインメモリ３２に記憶される。ステップＳ３３の次にステップＳ３４の処理が実行される。
【０１２０】
ステップＳ３４において、ＣＰＵ３１は、撮影指示が行われたか否かを判定する。本変形例では、撮影指示は、所定のボタン（例えばボタン１４Ｇまたはボタン１４Ｈ）を押下するか、または、撮影指示画像７４が表示されている領域をタッチする入力をタッチパネル１３に対して行うことで行われる。したがって、ステップＳ３４の判定処理においては、ＣＰＵ３１は、上記所定のボタンが押下されたか、または、撮影指示画像７４が表示されている領域をタッチする入力が行われたかを判定する。なお、ステップＳ３４の判定は、ステップＳ３３でメインメモリ３２に記憶された操作データおよびタッチ位置データを参照することによって行うことができる。ステップＳ３４の判定結果が肯定の場合、ステップＳ３５の処理が実行される。一方、ステップＳ３４の判定結果が否定の場合、後述するステップＳ３６の処理が実行される。
【０１２１】
ステップＳ３５において、ＣＰＵ３１は、撮影処理を行う、すなわち、ステップＳ３１でカメラから取得した画像のデータを保存用データメモリ３４に記憶（保存）する。なお、他の実施形態においては、ＣＰＵ３１は、ステップＳ３１でカメラから取得された画像データを各ＬＣＤ１２および２２のいずれかに表示させ、当該画像データを保存するか否かをユーザに確認するようにしてもよい。そして、ユーザが画像データを保存する旨の指示を行った場合にのみ、当該画像データを保存用データメモリ３４に記憶（保存）するようにしてもよい。また、他の実施形態においては、ＣＰＵ３１は、撮像した画像のデータをメモリカード２８に記憶するようにしてもよいし、装置本体（保存用データメモリ３４）に記憶するかメモリカード２８に記憶するかをユーザに指定させるようにしてもよい。ステップＳ３５の後、後述するステップＳ４２の処理が実行される。
【０１２２】
一方、ステップＳ３６において、ＣＰＵ３１は、カメラ切替指示が行われたか否かを判定する。本変形例では、カメラ切替指示は、所定のボタン（例えばボタン１４Ｂ、ボタン１４Ｃ、ボタン１４Ｄ、またはボタン１４Ｅ）を押下するか、または、カメラ切替画像７５が表示されている領域をタッチする入力をタッチパネル１３に対して行うことで行われる。したがって、ステップＳ３６の判定処理においては、ＣＰＵ３１は、上記所定のボタンが押下されたか、または、カメラ切替画像７５が表示されている領域をタッチする入力が行われたかを判定する。なお、ステップＳ３６の判定は、ステップＳ３３でメインメモリ３２に記憶された操作データおよびタッチ位置データを参照することによって行うことができる。ステップＳ３６の判定結果が肯定の場合、ステップＳ３７の処理が実行される。一方、ステップＳ３６の判定結果が否定の場合、後述するステップＳ３８の処理が実行される。
【０１２３】
ステップＳ３７において、ＣＰＵ３１は、画像の撮像を行うカメラを切り替える。すなわち、画像の撮像を行うカメラが内側カメラ２３である場合には、画像の撮像を行うカメラを外側カメラ２５に変更し、画像の撮像を行うカメラが外側カメラ２５である場合には、画像の撮像を行うカメラを内側カメラ２３に変更する。具体的には、ＣＰＵ３１は、各カメラ２３および２５のうちで画像の撮像を行っている一方のカメラに対して動作を停止する旨の指示を行うととともに、他方のカメラに対して撮像を行う旨の指示（撮像実行指示）を行う。上記ステップＳ３７の処理が実行された場合、次に行われるステップＳ３１では切替後のカメラで撮像された画像のデータがＣＰＵ３１によって取得され、次に行われるステップＳ３２では切替後のカメラで撮像された画像が上側ＬＣＤ２２に表示されることになる。ステップＳ３７の後、後述するステップＳ４２の処理が実行される。
【０１２４】
一方、ステップＳ３８において、ＣＰＵ３１は、ズーム変更指示が行われたか否かを判定する。本変形例では、ズーム変更指示は、所定のボタン（例えば方向入力ボタン１４Ａの上ボタンまたは下ボタン）またはタッチパネル１３に対する入力によって、ズームカーソル７７をズームバー７６上で上下に移動させることで行われる。具体的には、ズームカーソル７７は、方向入力ボタン１４Ａの上ボタンが押下されることに応じて所定距離だけ上に移動し、方向入力ボタン１４Ａの下ボタンが押下されることに応じて所定距離だけ下に移動する。また、ユーザは、ズームカーソル７７が表示されている画面領域をまずタッチし、タッチしたままタッチ位置を上下にずらす操作をタッチパネル１３に対して行うことで、ズームカーソル７７を上下に動かすことができる。したがって、ステップＳ３８の判定処理においては、ＣＰＵ３１は、上記所定のボタンが押下されたか、または、ズームカーソル７７を移動させる操作がタッチパネル１３に対して行われたかを判定する。なお、ステップＳ３８の判定は、ステップＳ３３でメインメモリ３２に記憶された操作データおよびタッチ位置データを参照することによって行うことができる。ステップＳ３８の判定結果が肯定の場合、ステップＳ３９の処理が実行される。一方、ステップＳ３８の判定結果が否定の場合、後述するステップＳ４０の処理が実行される。
【０１２５】
ステップＳ３９において、ＣＰＵ３１は、上側ＬＣＤ２２に表示される撮像画像をズーム変更指示に従って拡大／縮小する。すなわち、ズームカーソル７７を上に動かす指示が行われた場合には、メインメモリ３２に記憶されている倍率データの内容を、倍率が小さくなるように変更する。これによって、次に行われるステップＳ３２では、撮像画像が前回のステップＳ３２に比べて縮小されて表示されることになる。一方、ズームカーソル７７を下に動かす指示が行われた場合には、メインメモリ３２に記憶されている倍率データの内容を、倍率が大きくなるように変更する。これによって、次に行われるステップＳ３２では、撮像画像が前回のステップＳ３２に比べて拡大されて表示されることになる。ステップＳ３９の後、後述するステップＳ４２の処理が実行される。
【０１２６】
一方、ステップＳ４０において、ＣＰＵ３１は、表示変更指示が行われたか否かを判定する。本変形例では、表示変更指示は、所定のボタン（例えば方向入力ボタン１４Ａの左ボタンまたは右ボタン）を押下するか、または、表示変更画像７８Ａが表示されている領域および表示変更画像７８Ｂが表示されている領域のいずれかをタッチする入力をタッチパネル１３に対して行うことで行われる。したがって、ステップＳ４０の判定処理においては、ＣＰＵ３１は、上記所定のボタンが押下されたか、または、表示変更画像７８Ａが表示されている領域および表示変更画像７８Ｂのいずれかをタッチする入力が行われたかを判定する。なお、ステップＳ４０の判定は、ステップＳ３３でメインメモリ３２に記憶された操作データおよびタッチ位置データを参照することによって行うことができる。ステップＳ４０の判定結果が肯定の場合、ステップＳ４１の処理が実行される。一方、ステップＳ４０の判定結果が否定の場合、後述するステップＳ４２の処理が実行される。
【０１２７】
ステップＳ４１においては、ＣＰＵ３１は、保存画像のうちで、下側ＬＣＤ１２に表示される保存画像（表示保存画像）を変更する。具体的には、方向入力ボタン１４Ａの右ボタンが押下されるか、または、表示変更画像７８Ｂがタッチされた場合、表示保存画像は、新しい方に画像１つ分ずらされる。すなわち、現在の４つの表示保存画像のうちで最も古い時期に撮影された画像が表示保存画像から削除される。さらに、現在の４つの表示保存画像のうちで最も新しい時期に撮影された画像の次に撮影された保存画像が、新たな表示保存画像として追加される。一方、方向入力ボタン１４Ａの左ボタンが押下されるか、または、表示変更画像７８Ａがタッチされた場合、表示保存画像は、古い方に画像１つ分ずらされる。すなわち、現在の４つの表示保存画像のうちで最も新しい時期に撮影された画像が表示保存画像から削除される。さらに、現在の４つの表示保存画像のうちで最も古い時期に撮影された画像の１つ前に撮影された保存画像が、新たな表示保存画像として追加される。メインメモリ３２には、ステップＳ４０による変更後の表示保存画像を示すデータが、新たな表示保存画像データとして記憶される。ステップＳ４１の後、後述するステップＳ４２の処理が実行される。
【０１２８】
ステップＳ４２において、ＣＰＵ３１は、編集指示が行われたか否かを判定する。本変形例では、編集指示は、表示されている保存画像７３Ａ〜７３Ｄのうちで、編集を行いたい保存画像の表示領域をタッチする入力をタッチパネル１３に対して行うことで行われる。したがって、ステップＳ４２の判定処理においては、ＣＰＵ３１は、保存画像７３Ａ〜７３Ｄが表示されている領域のいずれかをタッチする入力が行われたかを判定する。なお、ステップＳ４２の判定は、ステップＳ３３でメインメモリ３２に記憶された操作データおよびタッチ位置データを参照することによって行うことができる。ステップＳ４２の判定結果が肯定の場合、ステップＳ４３の処理が実行される。一方、ステップＳ４２の判定結果が否定の場合、後述するステップＳ４４の処理が実行される。
【０１２９】
ステップＳ４３において、ＣＰＵ３１は、編集処理を実行する。編集処理とは、保存画像に対して編集するための処理である。以下では、編集の対象となる保存画像を編集画像と呼ぶ。以下、図２０〜図２２を参照して、編集処理の詳細を説明する。
【０１３０】
図２０は、図１８に示す編集処理（ステップＳ４３）の流れを示すフローチャートである。編集処理においては、まずステップＳ５１において、ＣＰＵ３１は、現在の編集モードがペンモードであるか否かを判定する。ここで、本変形例では、編集処理においては、ペンモード、シールモード、および消しゴムモードという３つのモードが予め用意される。ペンモードにおいては、タッチパネル１３に対して入力された入力軌跡の画像を編集画像に付加することができる。シールモードにおいては、予め用意されたシール画像を編集画像に付加することができる。消しゴムモードにおいては、ペンモードまたはシールモードで付加された画像を消去することができる。なお、本変形例では、編集処理の開始時には編集モードがペンモードに設定されているものとする。ステップＳ５１の判定結果が肯定の場合、ステップＳ５２の処理が実行される。一方、ステップＳ５１の判定結果が否定の場合、後述するステップＳ５８の処理が実行される。
【０１３１】
ステップＳ５２〜Ｓ５７においては、ペンモード時における処理が実行される。図２１は、編集処理のペンモード時において各ＬＣＤ１２および２２に表示される画像の一例を示す図である。図２１に示されるように、編集処理中において下側ＬＣＤ１２には、編集を行うための操作画面（編集画面）が表示される。具体的には、下側ＬＣＤ１２には、編集画像８１の一部または全部が表示される。編集画像８１は、編集の対象となる保存画像、すなわち、図１９に示す保存画像７３Ａ〜７３Ｄのうちでタッチ入力により指定された保存画像である。また、下側ＬＣＤ１２には、各種操作を行うための画像８４〜９０が表示される。これらの画像８４〜９０を用いた操作の詳細は後述する。一方、編集処理中において上側ＬＣＤ２２には、図２１に示されるように、編集画像８１の全体が表示される。なお、図２１に示す点線領域８２は、編集画像８１のうちで、下側ＬＣＤ１２に表示される領域を示している。このような点線領域８２の画像は上側ＬＣＤ２２に表示されてもよいし、されなくてもよい。なお、編集処理中においてはカメラ２３または２５によって撮像されたリアルタイムの画像は表示されないので、ＣＰＵ３１は、各カメラ２３および２５に撮像動作を行わないように指示してもよい。以下、図２１を参照して、ペンモード時における処理（ステップＳ５２〜Ｓ５７）の詳細を説明する。
【０１３２】
ステップＳ５２において、ＣＰＵ３１は、タッチパネル１３に対する入力を受け付ける。すなわち、タッチパネル１３からタッチ位置データを取得する。取得されたタッチ位置データはメインメモリ３２に記憶される。ステップＳ５２の次にステップＳ５３の処理が実行される。
【０１３３】
ステップＳ５３において、ＣＰＵ３１は、タッチパネル１３に対する入力に応じて、入力軌跡８３の画像を表示する。すなわち、編集画像８１の領域に対してタッチパネル１３によるタッチ入力が行われた場合、入力軌跡８３の画像を表示する。入力軌跡８３は、タッチパネル１３によるタッチ入力が行われた位置の軌跡を示す画像である。具体的には、ステップＳ５２において取得されたタッチ位置データが、編集画像８１が表示される領域内の位置を示す場合、ＣＰＵ３１は、編集画像８１の当該位置に入力軌跡８３の画像を追加する。そして、画像が追加された編集画像８１を各ＬＣＤ１２および２２に表示する。なお、ペンモード中においてはステップＳ５１〜Ｓ５６の処理ループが所定時間（１フレーム時間（１／６０秒））に１回の割合で繰り返されるので、ステップＳ５２およびＳ５３の処理がペンモード中において繰り返される。したがって、ユーザがタッチパネル１３に対して軌跡を描くように連続して入力を行った場合には、当該軌跡を示すように入力軌跡８３の画像が生成されて表示されることになる。なお、ステップＳ５３における入力軌跡８３の生成・表示処理は、編集画像８１の領域に対してタッチ入力が行われた場合にのみ実行され、タッチ入力が行われていない場合、および、編集画像８１以外の領域に対してタッチ入力が行われた場合には実行されない。ステップＳ５３の次にステップＳ５４の処理が実行される。
【０１３４】
ステップＳ５４において、ＣＰＵ３１は、下側ＬＣＤ１２に表示される編集画像８１の拡大・縮小処理を行う。この拡大・縮小処理は、倍率変更指示が行われた場合、すなわち、下側ＬＣＤ１２に表示される倍率変更指示画像８９の領域に対してタッチパネル１３による入力が行われた場合に実行される。なお、倍率変更指示画像８９は、下側ＬＣＤ１２に表示される編集画像８１を拡大・縮小する指示を行うための画像である。ステップＳ５４において、ＣＰＵ３１は、ステップＳ５２において取得されたタッチ位置データが、倍率変更指示画像８９が表示される領域内の位置を示す場合、下側ＬＣＤ１２に表示される編集画像８１を表示する倍率を切り替える。本変形例では、編集画像８１を表示する倍率は例えば３段階であり、ＣＰＵ３１は、倍率変更指示が行われる度に、倍率小、倍率中、倍率大の順に倍率を変更する。また、倍率大の場合に倍率変更指示が行われた場合には、倍率小に倍率を変更する。以上によって、ユーザによって倍率変更指示が行われた場合には、下側ＬＣＤ１２に表示される編集画像８１の倍率が変更される。なお、ステップＳ５４における倍率の変更処理は、倍率変更指示画像８９の領域に対してタッチ入力が行われた場合にのみ実行され、タッチパネル１３に対する入力が行われていない場合、および、倍率変更指示画像８９以外の領域に対してタッチ入力が行われた場合には実行されない。ステップＳ５４の次にステップＳ５５の処理が実行される。
【０１３５】
ステップＳ５５において、ＣＰＵ３１は、下側ＬＣＤ１２に表示される編集画像８１の移動処理を行う。この移動処理は、移動指示が行われた場合、すなわち、下側ＬＣＤ１２に表示される移動指示画像９０の領域に対してタッチ入力が行われた場合に実行される。移動指示画像９０は、下側ＬＣＤ１２に表示される編集画像８１を移動（スクロール）する指示を行うための画像である。ステップＳ５５において、ＣＰＵ３１は、ステップＳ５２において取得されたタッチ位置データが、移動指示画像９０が表示される領域内の位置を示す場合、下側ＬＣＤ１２に表示される編集画像８１をスクロールさせて表示する。本変形例では、図２１に示されるように、移動指示画像９０には上下左右の４方向を示す画像（図２１では３角形の画像）が含まれている。ＣＰＵ３１は、当該画像のいずれかの領域に対してタッチ入力が行われた場合、タッチ入力が行われた画像に対応する方向に編集画像８１をスクロールさせる。なお、ステップＳ５５における移動処理は、移動指示画像９０の領域に対してタッチ入力が行われた場合にのみ実行され、タッチパネル１３に対する入力が行われていない場合、および、移動指示画像９０以外の領域に対してタッチ入力が行われた場合には実行されない。ステップＳ５５の次にステップＳ５６の処理が実行される。
【０１３６】
ステップＳ５６において、ＣＰＵ３１は、編集モードを変更するか否かを判定する。この判定は、ユーザによってモード変更指示が行われたか否かによって行われる。具体的には、ステップＳ５６の判定は、下側ＬＣＤ１２に表示される、ペンモード画像８４、消しゴムモード画像８５、シールモード画像８６のいずれかの領域に対してタッチ入力が行われたか否かによって行われる。なお、ペンモード画像８４は、編集モードをペンモードに変更する指示を行うための画像である。消しゴムモード画像８５は、編集モードを消しゴムモードに変更する指示を行うための画像である。シールモード画像８６は、編集モードをシールモードに変更する指示を行うための画像である。ステップＳ５６において、ＣＰＵ３１は、ステップＳ５２において取得されたタッチ位置データにより示される位置が、ペンモード画像８４、消しゴムモード画像８５、シールモード画像８６のいずれかが表示される領域内の位置である場合、判定結果が肯定であると判断する。そして、編集モードを、当該入力が行われた画像に対応するモードに変更する。一方、タッチ位置データにより示される位置が、ペンモード画像８４、消しゴムモード画像８５、シールモード画像８６のいずれかが表示される領域内の位置でない場合、判定結果が否定であると判断する。この場合、編集モードは変更されない。ステップＳ５６の判定結果が肯定の場合、ステップＳ５１の処理が再度実行される。一方、ステップＳ５６の判定結果が否定の場合、ステップＳ５７の処理が実行される。
【０１３７】
ステップＳ５７においては、ＣＰＵ３１は、編集処理を終了するか否かを判定する。この判定は、ユーザによって編集処理を終了する指示が行われたか否かによって行われる。具体的には、ステップＳ５７の判定は、下側ＬＣＤ１２に表示される、中止指示画像８７および完了指示画像８８のいずれかの領域に対してタッチ入力が行われたか否かによって行われる。なお、中止指示画像８７は、編集処理を中止する指示を行うための画像である。完了指示画像８８は、編集処理を完了する指示を行うための画像である。ステップＳ５７において、ＣＰＵ３１は、ステップＳ５２において取得されたタッチ位置データにより示される位置が、中止指示画像８７および完了指示画像８８のいずれかが表示される領域内の位置である場合、判定結果が肯定であると判断する。一方、タッチ位置データにより示される位置が、中止指示画像８７および完了指示画像８８のいずれかが表示される領域内の位置でない場合、判定結果が否定であると判断する。ステップＳ５７の判定結果が肯定の場合、後述するステップＳ７２の処理が実行される。一方、ステップＳ５７の判定結果が否定の場合、ステップＳ５２の処理が再度実行される。
【０１３８】
以上のように、ペンモード時の処理（ステップＳ５２〜Ｓ５７）は、ステップＳ５６の判定結果が肯定となるか、または、ステップＳ５７の判定結果が否定となるまで繰り返される。また、ペンモード中においてユーザがタッチパネル１３に対して軌跡を入力することによって、入力軌跡８３の画像が編集画像に付加される（図２１参照）。
【０１３９】
一方、ステップＳ５８において、ＣＰＵ３１は、現在の編集モードがシールモードであるか否かを判定する。ステップＳ５８の判定結果が肯定の場合（すなわち、現在の編集モードがシールモードである場合）、ステップＳ５９の処理が実行される。一方、ステップＳ５８の判定結果が否定の場合（すなわち、現在の編集モードが消しゴムモードである場合）、後述するステップＳ６６の処理が実行される。
【０１４０】
ステップＳ５９〜Ｓ６５においては、シールモード時における処理が実行される。図２２は、編集処理のシールモード時において各ＬＣＤ１２および２２に表示される画像の一例を示す図である。図２２に示されるように、シールモード時においてもペンモード時と同様、各ＬＣＤ１２および２２に編集画像８１が表示され、下側ＬＣＤ１２には各種操作を行うための画像６４〜７０が表示される。以下、図２２を参照して、シールモード時における処理（ステップＳ５９〜Ｓ６５）の詳細を説明する。
【０１４１】
ステップＳ５９において、ＣＰＵ３１は、編集画像８１に付加すべきシール画像を選択する。シール画像の選択は、メインメモリ３２、保存用データメモリ３４、またはメモリカード２８に予め記憶されているシール画像のうちから、ユーザが所望のシール画像を指定することにより行われる。ステップＳ５９によってシール画像が選択されると、選択されたシール画像が編集画像８１の所定位置（例えば中央の位置）に付加される。これによって、各ＬＣＤ１２および２２には編集画像８１にシール画像９１が付加されて表示される（図２２）。以上のステップＳ５９の次にステップＳ６０の処理が実行される。
【０１４２】
ステップＳ６０において、ＣＰＵ３１は、タッチパネル１３に対する入力を受け付ける。ステップＳ６０の処理は、上記ステップＳ５２の処理と同じである。続くステップＳ６１において、ＣＰＵ３１は、タッチパネル１３に対する入力に応じて、編集画像８１上のシール画像９１を移動させる。シール画像９１の移動操作は、前述したズーム変更指示（ステップＳ３８）と同様の操作によって行われる。すなわち、ユーザは、シール画像９１が表示されている領域をまずタッチし、タッチしたままタッチ位置をずらす操作をタッチパネル１３に対して行うことで、シール画像９１を移動させることができる。なお、ＣＰＵ３１は、ステップＳ６０でメインメモリ３２に記憶されたタッチ位置データを参照することによってシール画像９１の移動操作を検出することができる。なお、ステップＳ６１におけるシール画像９１の移動処理は、上記のシール画像９１を移動する操作が行われた場合にのみ実行され、タッチパネル１３に対する入力が行われていない場合、および、当該操作以外の操作が行われた場合には実行されない。ステップＳ６１の次にステップＳ６２の処理が実行される。
【０１４３】
ステップＳ６２において、ＣＰＵ３１は、下側ＬＣＤ１２に表示される編集画像８１の拡大・縮小処理を行う。ステップＳ６２の処理は、上記ステップＳ５４の処理と同じである。なお、シールモードにおいて、下側ＬＣＤ１２に表示される編集画像８１の倍率が変更された場合、シール画像９１も編集画像８１の拡大・縮小に伴って拡大・縮小し、編集画像８１のサイズとシール画像９１のサイズとの比率は変化しない。続くステップＳ６３において、ＣＰＵ３１は、下側ＬＣＤ１２に表示される編集画像８１の移動処理を行う。ステップＳ６３の処理は、上記ステップＳ５５の処理と同じである。ステップＳ６３の次にステップＳ６４の処理が実行される。
【０１４４】
ステップＳ６４において、ＣＰＵ３１は、編集モードを変更するか否かを判定する。ステップＳ６４の処理は、上記ステップＳ５６の処理と同じである。ステップＳ６４の判定結果が肯定の場合、ステップＳ５１の処理が再度実行される。一方、ステップＳ６４の判定結果が否定の場合、ステップＳ６５の処理が実行される。
【０１４５】
ステップＳ６５においては、ＣＰＵ３１は、編集処理を終了するか否かを判定する。ステップＳ６５の処理は、上記ステップＳ５７の処理と同じである。ステップＳ６５の判定結果が肯定の場合、後述するステップＳ７２の処理が実行される。一方、ステップＳ６５の判定結果が否定の場合、ステップＳ６０の処理が再度実行される。
【０１４６】
以上のように、シールモード時の処理（ステップＳ６０〜Ｓ６５）は、ステップＳ６４の判定結果が肯定となるか、または、ステップＳ６５の判定結果が否定となるまで繰り返される。また、シールモード中においてはシール画像９１が編集画像８１に付加され、ユーザは、タッチパネル１３に対する入力によってシール画像を所望の位置に配置させることができる。
【０１４７】
一方、ステップＳ５８の判定結果が否定である場合、すなわち、現在の編集モードが消しゴムモードである場合には、ステップＳ６６〜Ｓ７１の処理が実行される。消しゴムモードにおいてもペンモードおよびシールモード時と同様、各ＬＣＤ１２および２２に編集画像８１が表示され、下側ＬＣＤ１２には各種操作を行うための画像６４〜７０が表示される。また、消しゴムモードにおいては、編集処理が開始されてから消しゴムモードに移行するまでの間に付加された入力軌跡８３およびシール画像９１が、編集画像８１とともに各ＬＣＤ１２および２２に表示される。
【０１４８】
ステップＳ６６において、ＣＰＵ３１は、タッチパネル１３に対する入力を受け付ける。ステップＳ６６の処理は、上記ステップＳ５２の処理と同じである。続くステップＳ６７において、ＣＰＵ３１は、タッチパネル１３に対する入力に応じて、編集画像８１上の入力軌跡８３の画像またはシール画像９１を消去する。具体的には、ステップＳ６６において取得されたタッチ位置データが、編集画像８１に付加された入力軌跡８３またはシール画像９１が表示される領域内の位置を示す場合、ＣＰＵ３１は、編集画像８１の当該位置に付加されている画像を消去する。そして、画像が消去された編集画像８１を各ＬＣＤ１２および２２に表示する。なお、ステップＳ６７における画像の消去処理は、入力軌跡８３またはシール画像９１の領域に対してタッチ入力が行われた場合にのみ実行され、タッチパネル１３に対する入力が行われていない場合、および、入力軌跡８３およびシール画像９１以外の領域に対してタッチ入力が行われた場合には実行されない。ステップＳ６７の次にステップＳ６８の処理が実行される。
【０１４９】
ＣＰＵ３１は、ステップＳ６８において、下側ＬＣＤ１２に表示される編集画像８１の拡大・縮小処理を行い、ステップＳ６９において、当該編集画像８１の移動処理を行う。ステップＳ６８およびＳ６９の処理は、上記ステップＳ５４およびＳ５５の処理と同じである。
【０１５０】
続くステップＳ７０において、ＣＰＵ３１は、編集モードを変更するか否かを判定する。ステップＳ７０の処理は、上記ステップＳ５６の処理と同じである。ステップＳ７０の判定結果が肯定の場合、ステップＳ５１の処理が再度実行される。一方、ステップＳ７０の判定結果が否定の場合、ステップＳ７１の処理が実行される。
【０１５１】
ステップＳ７１においては、ＣＰＵ３１は、編集処理を終了するか否かを判定する。ステップＳ７１の処理は、上記ステップＳ５７の処理と同じである。ステップＳ７１の判定結果が肯定の場合、ステップＳ７２の処理が実行される。一方、ステップＳ７１の判定結果が否定の場合、ステップＳ６６の処理が再度実行される。
【０１５２】
以上のように、消しゴムモード時の処理（ステップＳ６６〜Ｓ７１）は、ステップＳ６４０の判定結果が肯定となるか、または、ステップＳ７１の判定結果が否定となるまで繰り返される。また、消しゴムモード中においては入力軌跡８３の画像およびシール画像９１が、タッチパネル１３に対する入力に応じて消去される。
【０１５３】
上記ステップＳ５７，Ｓ６５，またはＳ７１において編集処理を終了すると判定された場合、ステップＳ７２の処理が実行される。ステップＳ７２においては、ＣＰＵ３１は、編集処理によって編集された編集画像８１を保存するか否かを判定する。この判定は、ステップＳ５２，Ｓ６０，またはＳ６６で取得されたタッチ位置データに基づき、中止指示画像８７および完了指示画像８８のいずれの領域に対してタッチ入力が行われたか否かによって行われる。すなわち、中止指示画像８７の領域に対してタッチ入力が行われた場合、ＣＰＵ３１は、編集処理を中止する、すなわち、編集画像を保存しないと判断する。一方、完了指示画像８８の領域に対してタッチ入力が行われた場合、ＣＰＵ３１は、編集処理を完了する、すなわち、編集画像を保存すると判断する。ステップＳ７２の判定結果が肯定の場合、ステップＳ７３の処理が実行される。一方、ステップＳ７２の判定結果が否定の場合、ＣＰＵ３１は、ステップＳ７３の処理をスキップして図２０に示す編集処理を終了する。
【０１５４】
ステップＳ７３において、ＣＰＵ３１は、編集画像８１を保存用データメモリ３４に保存（記憶）する。なお、編集画像８１は、編集処理前の保存画像に対して上書きして保存されてもよいし、編集処理前の保存画像とは別に保存されてもよいし、上書きして保存するか別に保存するかをユーザに選択させるようにしてもよい。また、編集画像８１の保存先は、保存用データメモリ３４に代えてメモリカード２８であってもよい。ステップＳ７３の後、ＣＰＵ３１は、図２０に示す編集処理を終了する。
【０１５５】
以上に説明した編集処理によれば、ユーザは、タッチパネル１３に対して軌跡を描く入力を行うことによって、編集画像に対して文字や絵を付加することができる。また、シール画像を編集画像上の所望の位置に付加することができる。
【０１５６】
図１８の説明に戻り、上記編集処理（ステップＳ４３）の次に、ステップＳ４４の処理が実行される。ステップＳ４４において、ＣＰＵ３１は、撮影処理を終了するか否かを判定する。具体的には、電源ボタン１４Ｆが押下されたか否かを判定する。ステップＳ４４の判定結果が否定の場合、ＣＰＵ３１はステップＳ３１の処理を再度実行する。以降、ステップＳ４４において撮影処理を終了すると判定されるまで、ステップＳ３１〜Ｓ４４の処理ループが繰り返し実行される。一方、ステップＳ４４の判定結果が肯定の場合、ＣＰＵ３１は、図１８に示す撮影処理を終了する。
【０１５７】
以上に説明した撮影処理によって、ユーザは、撮影指示を行うことに応じて、カメラで撮像されている画像を保存することができる。ここで、本変形例では、２つの表示装置を有する構成とし、一方の表示装置に現在撮影中の画像を表示するとともに、他方に、操作画面や過去に撮影した画像を表示する。これによって、ユーザは、上側ＬＣＤ２２に表示されている現在の撮像画像に加えて、操作画面および過去に撮影した画像を見ながら撮影操作を行うことができるので、使いやすい撮像装置１０を提供することができる。さらに、本変形例では、下側ＬＣＤ１２にタッチパネル１３を設ける構成とすることによって、操作をより行いやすくしている。
【０１５８】
以上の実施形態において説明したように、撮像装置は以下のように構成されてもよい。
【０１５９】
撮像装置は、上述の課題２に関して、撮像時に表示画面の視認性やタッチパネルの操作性を保ちながらユーザがしっかりと把持することを目的として、下記（１−１）〜（１−１３）のように構成されてもよい。
【０１６０】
（１−１）撮像装置は、第１のハウジング（下側ハウジング１１）と、第２のハウジング（上側ハウジング２１）と、第１の表示部（下側ＬＣＤ１２）と、第１の撮像部（外側カメラ２５）と、複数の操作ボタン（ボタン１４Ａ〜１４Ｅ）と、タッチパネル（１３）とを備える。第１のハウジングは横長形状である。第２のハウジングは、横長形状であり、その長辺が第１のハウジングの上側の長辺と折り畳み可能に接続される。第１の表示部は、第１および第２のハウジングを折り畳んだ場合に内側となる面である第１のハウジングの内側面に表示画面が設けられる。第１の撮像部は、第１および第２のハウジングを折り畳んだ場合に外側となる面である第２のハウジングの外側面に設けられ、第１のハウジングとの接続部分の反対側の端部に配置される。複数の操作ボタンは、第１のハウジングの内側面上であって、第１のハウジングの長手方向に関して表示画面の両側に設けられる。タッチパネルは、表示画面上に設けられる。
【０１６１】
上記（１−１）によれば、撮像装置を横持ちで把持する場合には、第１のハウジングの表示画面の両側部分（操作ボタンが設けられた部分）を把持することによって、ユーザはしっかりと撮像装置を把持することができる。このとき、ユーザの手は操作ボタンにかかり、表示画面にかからないので、表示画面が手に隠れて見えなくなることもなく、表示画面の視認性を維持することができる。つまり、撮像時に表示画面の視認性を保ちながらユーザがしっかりと把持することのできる撮像装置を実現することができる。
【０１６２】
さらに、上記（１−１）によれば、ユーザが把持する第１のハウジングに表示部およびタッチパネルを設けている。したがって、撮像装置を把持して使用する場合であっても、机等に置いて使用する場合であっても、タッチパネルに対する操作が（第２のハウジングにタッチパネルが設けられている場合に比べて）行いやすい。
【０１６３】
（１−２）撮像装置は、第１および第２のハウジングを折り畳んだ場合に内側となる第２のハウジングの内側面に表示画面が設けられる第２の表示部（上側ＬＣＤ２２）をさらに備えていてもよい。このとき、第２のハウジングの内側面上における第２表示部の両側には、第１のハウジングの内側面において複数操作ボタンが設けられる領域（Ａ１およびＡ２）と同じ幅の非表示画面領域（Ｂ１およびＢ２）が設けられる。
【０１６４】
（１−３）第２のハウジングの幅は第１のハウジングの幅と同じであってもよい。このとき、第１の表示部の表示画面と第２の表示部の表示画面とは同じ幅であり、かつ、長手方向に関して同じ位置に設けられる。
【０１６５】
（１−４）撮像装置は、第２のハウジングの非表示画面領域の内部に設けられるスピーカをさらに備えていてもよい。
【０１６６】
上記（１−２）〜（１−４）によれば、撮像装置は２つの表示画面を備えるので、より多くの情報を表示することができる。さらに、第２のハウジングにおける表示画面の両側に非表示画面領域が設けられる構成（上記（１−２））によれば、撮像装置を横持ちの状態から９０°回転させて縦持ちにした場合でも、ユーザは撮像装置をしっかりと把持することができる。すなわち、撮像装置を縦持ちで把持する場合、ユーザは、第１のハウジングの操作ボタンが設けられる領域および上記非表示画面領域を親指で支持し、各ハウジングにおいて表示画面が設けられる面の裏面を人差し指から小指で支持することができる。これによって、ユーザは撮像装置をしっかりと把持することができるとともに、親指が表示画面にかかることがなく、表示画面の視認性も損なわれない。さらに、上記（４）によれば、第２のハウジングの非表示画面領域の内部にスピーカを配置することによって、第２のハウジングの内部空間を有効に活用することができ、撮像装置を小型化することができる。
【０１６７】
（１−５）第２の表示部は、第１の撮像部で撮像された画像をリアルタイムで表示してもよい。このとき、第１の表示部は、撮像装置に対する操作を行うための操作画面を表示する（図１９参照）。これによれば、リアルタイムの撮像画像が表示される表示画面と、当該撮像画像を撮像する第１の撮像部とはともに第２のハウジングに設けられることになる。これによれば、第１の撮像部の撮像方向を変化させれば、その変化に伴って表示画面の向きが変化することになるので、ユーザは、撮像方向を直感的にわかりやすく把握することができる。また、上記によれば、ユーザが把持する第１のハウジングに設けられる表示画面に操作画面が表示されるので、入力手段（タッチパネルおよび操作ボタン）の近傍の表示画面に操作画面が表示されることとなる。したがって、ユーザは、操作画面を見ながらの操作を容易に行うことができる。
【０１６８】
（１−６）第１の表示部は、第１の撮像部で撮像されたリアルタイムの画像が第２の表示部に表示されている場合、タッチパネルに対する入力のための画像を操作画面として表示してもよい。これによれば、撮像装置に対する操作をタッチパネルを用いて容易に行うことができる。
【０１６９】
（１−７）第１の表示部は、撮像された画像に対して編集を行うための画像を表示してもよい。これによれば、ユーザは、編集処理をタッチパネルを用いて容易に行うことができる。
【０１７０】
（１−８）撮像装置は、第１および第２のハウジングを折り畳んだ場合に内側となる第２のハウジングの内側面に設けられ、かつ、第２の表示部の画面よりも第１および第２のハウジングの連結部分に近い側に設けられる第２の撮像部（内側カメラ２３）をさらに備えていてもよい。これによれば、ユーザは撮像装置を持ち替えることなく、異なる２方向を撮像することができる。また、第２の撮像部を用いて撮影を行う場合においても第１の撮像部の場合と同様、第２のハウジングの角度を調整することにより、撮像方向を容易に変更することができ、特別な機構を設けなくても撮像部の撮像方向を変更することができる。さらに、第２の撮像部は、各ハウジングを折り畳んだ状態では外側に露出しないので、折り畳んだ状態とすることによって第２の撮像部を保護することができる。
【０１７１】
（１−９）撮像装置は、第１のハウジングの上側の長辺の右端に配置され、撮像された画像を保存する指示を行うための撮像指示ボタン（ボタン１４Ｈ）をさらに備えていてもよい。これによれば、ユーザは、第１のハウジングを把持した状態において、人差し指で容易に撮影指示ボタンを押下することができる。
【０１７２】
（１−１０）撮像装置は、第１のハウジングの上側の長辺の両端にそれぞれ配置され、撮像された画像を保存する指示を行うための２つの撮像指示ボタン（ボタン１４Ｈおよび１４Ｇ）をさらに備えていてもよい。これによれば、右利きのユーザであっても左利きのユーザであっても、第１のハウジングを把持した状態で人差し指で容易に撮影指示ボタンを押下することができる。
【０１７３】
（１−１１）第１のハウジングおよびその内部に設けられる部品の重量は、第２のハウジングおよびその内部に設けられる部品の重量に比べて重くてもよい。
【０１７４】
（１−１２）第１のハウジングの内部には、電池と、電子部品を実装した回路基板と、記憶媒体を着脱可能に接続するためのコネクタとが少なくとも設けられてもよい。
【０１７５】
上記（１−１１）または（１−１２）によれば、撮像装置を机等に載置した場合において撮像装置を倒れにくくすることができる。また、ユーザが把持する第１のハウジングの方を第２のハウジングよりも重くすることによって、撮像装置を把持した際の安定感が増し、撮影時の手ぶれを防止することができる。
【０１７６】
（１−１３）第２のハウジングは、第１のハウジングに対して１８０°よりも小さい角度に開いて固定することが可能であってもよい。これによれば、ハウジングの開閉角度を１８０°よりも若干小さい角度とすることによって、各ハウジングの外側面が手の形状にフィットするので、撮像装置をより持ちやすくなる。
【０１７７】
また、撮像装置は、上述の課題３に関して、撮影操作の操作性を向上することを目的として、以下の（２−１）〜（２−１０）のように構成されてもよい。
【０１７８】
（２−１）撮像装置は、第１の撮像部（カメラ２３または２５）と、第１のハウジング（下側ハウジング１１）と、第２のハウジング（上側ハウジング２１）と、連結部（軸部１１Ａおよび２１Ａ）とを備える、折り畳み可能な撮像装置である。連結部は、第１のハウジングと第２のハウジングとを折り畳み可能に連結する。また、撮像装置は、第１の撮像部によって撮像された画像の記録指示を行うための１以上の撮影ボタン（ボタン１４Ｈおよび１４Ｇ）を備える。１以上の撮影ボタンは、第１のハウジングの折り畳み時の内側の面を正面とした場合の側面であって、第１のハウジングおよび第２のハウジングを開いた場合に第２のハウジングが存在する側の側面に設けられる。
【０１７９】
上記（２−１）によれば、第１のハウジングにおいて第２のハウジングと連結される側の側面に撮影ボタンを設けることによって、ユーザは、親指を第１のハウジングの内側面に接触させるとともに中指等を第１のハウジングの外側面に接触させて第１のハウジングを把持した状態で、撮影ボタンを人差し指で押下することができる（図６および図７参照）。これによれば、第１のハウジングをしっかりと把持したまま撮影ボタンを押下することができるので、撮影操作時にボタンを押しやすく、また手ぶれが生じにくい。したがって、上記（２−１）によれば、折りたたみ式の撮像装置に対する撮影操作の操作性を向上することができる。
【０１８０】
さらに、上記（２−１）によれば、第１のハウジングの側面に撮影ボタンを設けているので、第１のハウジングの外側面を下にして撮像装置を置いた状態としても撮影操作を行うことが可能である。なお、撮像部は第２のハウジングに設けられるので、撮像装置を置いた状態であってもユーザは撮影方向を自由に変更することができる。
【０１８１】
（２−２）第１の撮像部は、第２のハウジングの折り畳み時の外側の面に設けられてもよい。
【０１８２】
上記（２−２）によれば、第１の撮像部は第２のハウジングに設けられるので、第１のハウジングに対する第２のハウジングの角度を変更することによって撮像方向を容易に変更することができる。また、第１の撮像部は第２のハウジングの外側面に設けられるので、ユーザの視線と同じ方向を撮影することができる。
【０１８３】
（２−３）第１の撮像部は、第２のハウジングの外側の面において、上下方向の中央よりも連結部から遠い側に配置されてもよい。なお、ここでは、第１のハウジングと第２のハウジングとが上下に連結されているものとし、第１のハウジングと第２のハウジングとの連結方向を上下方向としている。また、第１のハウジングと第２のハウジングとが連結されている軸の方向を左右方向としている。例えば第１のハウジングが横長形状である場合には、第１のハウジングの長手方向を左右方向としてもよい。
【０１８４】
なお、上述したように、ユーザは、第１のハウジングの側面に設けられた撮影ボタンを人差し指で押下するので、第１の撮像部の位置によっては人差し指が第１の撮像部の撮像範囲に入ってしまうおそれがある。これに対して、上記（２−３）によれば、第１の撮像部は第１のハウジングとの接続部分から遠い側に配置されるので、第１の撮像部の撮像範囲に人差し指が入ってしまうことを防止することができる。
【０１８５】
（２−４）撮像装置には、１以上の撮影ボタンとして、第１および第２のボタンが側面における左右両端にそれぞれ設けられてもよい。
【０１８６】
上記（２−４）によれば、第１のハウジングの側面の左右両側に撮影ボタンが設けられるので、ユーザは右手および左手のいずれで撮像装置を把持する場合であっても、撮影ボタンを容易に押下することができる。したがって、上記（２−４）によれば、ユーザは利き手に関係なく容易に撮影操作を行うことができる。
【０１８７】
（２−５）撮像装置は、第２の撮像部（内側カメラ２３）をさらに備えていてもよい。第２の撮像部は、撮像装置を開いた場合において第１のハウジングの内側の面および第２のハウジングの内側の面によって形成される装置主面（操作面）に、左右方向に関して略中央に設けられる。
【０１８８】
上記（２−５）によれば、装置主面に第２の撮像部が設けられるので、第２の撮像部によってユーザの方向を撮像することができる。また、第２の撮像部は装置主面の左右に関して略中央に設けられるので、ユーザは、例えば自分を撮影する場合等に撮像装置の左右の位置を容易に合わせることができる。
【０１８９】
（２−６）撮像装置は、複数の操作ボタン（ボタン１４Ａ〜１４Ｆ）をさらに備えていてもよい。複数の操作ボタンは、第１のハウジングの内側の面において、第２の撮像部よりも右側および左側に設けられる。
【０１９０】
上記（２−６）によれば、第１のハウジングの内側面に操作ボタンが設けられることによって、操作ボタン上に親指を接触させるようにしてユーザに撮像装置を把持させることができる。操作ボタンは第２の撮像部よりも（左右方向に関して）外側に設けられるので、ユーザの親指は第２の撮像部よりも外側の位置に接触することとなる。したがって、上記（２−６）によれば、（ユーザに特に意識させることなく、自然に）第２の撮像部の撮像範囲内に親指が入る可能性を低くすることができる。
【０１９１】
（２−７）撮像装置は、表示部（下側ＬＣＤ１２）と、複数の操作ボタン（ボタン１４Ａ〜１４Ｆ）とをさらに備えていてもよい。表示部は、第１のハウジングの内側の面において左右方向に関して略中央に表示画面が設けられる。複数の操作ボタンは、第１のハウジングの内側の面において表示画面の左右に設けられる。
【０１９２】
上記（２−７）によれば、第１のハウジングの内側面に操作ボタンが設けられることによって、操作ボタン上に親指を接触させるようにしてユーザに撮像装置を把持させることができる。ここで、操作ボタンは表示部の左右両側に設けられるので、ユーザの親指は表示部よりも外側の位置に接触することとなる。したがって、上記（２−７）によれば、（ユーザに特に意識させることなく、自然に）表示部の表示画面内に親指が入ることによって親指が表示の邪魔になることを防止することができる。
【０１９３】
（２−８）撮像装置は、表示部（下側ＬＣＤ１２）と、座標入力部（タッチパネル１３）と、制御部（ＣＰＵ３１）とをさらに備えていてもよい。表示部は、第１のハウジングの内側の面に表示画面が設けられる。座標入力部は、表示画面上の座標を入力可能な入力装置である。制御部は、表示画面に所定の画像を表示するとともに、座標入力手段による入力が当該所定の画像の領域内に行われた場合、第１の撮像部によって撮像された画像を記録する。
【０１９４】
上記（２−８）によれば、ユーザは、第１のハウジングの内側面に設けられる座標入力部によって撮影操作が可能となる。これによれば、第１のハウジングの外側面を下にして撮像装置を置いた状態で撮影操作を行う場合においてもユーザは容易に撮影操作を行うことができる。このように、座標入力部を用いた撮影操作を可能とすることによって、人差し指で撮影ボタンを操作する必要がなくなり、様々な持ち方（例えば第２のハウジングを下にして持つ持ち方等）で撮影操作を行うことが容易になる。
【０１９５】
（２−９）制御部は、第１のハウジングの左右方向に関して略中央となるように所定の画像を表示してもよい。
【０１９６】
上記（２−９）によれば、ユーザが撮影操作を行う場合にタッチすべき所定の画像は、第１のハウジングの略中央に表示されることとなるので、ユーザは、左右どちらの手でタッチパネルに対する操作を行う場合でも、容易に操作を行うことができる。したがって、上記（２−９）によれば、第１のハウジングの外側面を下にして撮像装置を置いた状態で撮影操作を行う場合においても、ユーザは利き手に関係なく容易に撮影操作を行うことができる。
【０１９７】
（２−１０）第１のハウジングは、左右方向の長さが１００ｍｍ以上１５０ｍｍ以下であり、上下方向の長さが６０ｍｍ以上９０ｍｍ以下であってもよい。
【０１９８】
上記（２−１０）によれば、第１のハウジングの左右方向の長さを１００ｍｍ以上１５０ｍｍ以下、上下方向の長さを６０ｍｍ以上９０ｍｍ以下という適度な長さとすることによって、撮像装置を片手で把持する場合であっても両手で把持する場合であっても把持しやすい形状とすることができる。すなわち、上記（２−１０）によれば、左右方向に長すぎる形状とすることによって撮像装置が片手で持ちにくくなったり、左右方向に短すぎる形状とすることによって撮像装置が両手で持ちにくくなったりすることがない。また、上下方向の長さは第１のハウジングが掌に収まる程度の長さであるので、ユーザは、片手で把持する場合であっても両手で把持する場合であっても撮像装置を把持しやすい。
【０１９９】
また、撮像装置は以下の（３−１）〜（３−３）のように構成されてもよい。
【０２００】
（３−１）撮像装置は、第１のハウジングと第２のハウジングとを重ねて配置する第１形態と、前記第１のハウジングと前記第２のハウジングとを開いて配置する第２形態とを取り得るように変形可能に構成される。撮像装置は、前記第１のハウジングの前記第１形態における内側の面を正面とした場合の側面であって、前記第２形態において前記第２のハウジングが存在する側の側面に設けられ、撮像部によって撮像された画像の記録指示を行うための１以上の撮影ボタンとを備える。
【０２０１】
（３−２）前記第２形態における装置主面の左右方向における略中央に第２撮像部が設けられてもよい。このとき、撮像装置は、前記第１形態における前記第１のハウジングの内側の面において、前記第２の撮像部よりも右側および左側に設けられる複数の操作ボタンをさらに備える。
【０２０２】
（３−３）前記第１形態における前記第１のハウジングの内側の面の左右方向の略中央に表示画面が設けられてもよい。このとき、撮像装置は、前記第１のハウジングの内側の面において、前記表示画面の左右にそれぞれ設けられる操作ボタンをさらに備える。
【産業上の利用可能性】
【０２０３】
以上のように、本発明は、撮影操作の操作性を向上すること等を目的として、撮像装置等として利用することが可能である。
【図面の簡単な説明】
【０２０４】
【図１】撮像装置１０の外観を示す平面図
【図２】撮像装置１０の外観を示す平面図
【図３】撮像装置１０の外観を示す平面図
【図４】図１に示す下側ハウジングのＡ−Ａ’断面図
【図５】図１に示す上側ハウジングのＢ−Ｂ’断面図
【図６】ユーザが撮像装置１０を両手で把持した様子を示す図
【図７】ユーザが撮像装置１０を片手で把持した様子を示す図
【図８】ユーザが縦持ちで撮像装置１０を把持した様子を示す図
【図９】ユーザが縦持ちで撮像装置１０を把持した様子を示す図
【図１０】撮像装置１０の内部構成を示すブロック図
【図１１】撮像装置１０における撮影処理の流れを示すフローチャート
【図１２】各ＬＣＤ１２および２２に表示される画像の一例を示す図
【図１３】図１１に示す入力画像生成処理（ステップＳ５）の流れを示すフローチャート
【図１４】ペンモード時において各ＬＣＤ１２および２２に表示される画像の一例を示す図
【図１５】変形例における撮像装置の外観を示す平面図
【図１６】変形例における撮像装置の外観を示す平面図
【図１７】変形例における撮像装置の外観を示す平面図
【図１８】変形例における撮影処理の流れを示すフローチャート
【図１９】ステップＳ３２において各ＬＣＤ１２および２２に表示される画像の一例を示す図
【図２０】図１８に示す編集処理（ステップＳ４３）の流れを示すフローチャート
【図２１】編集処理のペンモード時において各ＬＣＤ１２および２２に表示される画像の一例を示す図
【図２２】編集処理のシールモード時において各ＬＣＤ１２および２２に表示される画像の一例を示す図
【符号の説明】
【０２０５】
１０    撮像装置
１１    下側ハウジング
１２    下側ＬＣＤ
１３    タッチパネル
１４Ａ〜１４Ｉ    ボタン
２１    上側ハウジング
２２    上側ＬＣＤ
２３    内側カメラ
２５    外側カメラ
２８    メモリカード
【図１】
0005133128.tif 000002
【図２】
0005133128.tif 000003
【図３】
0005133128.tif 000004
【図４】
0005133128.tif 000005
【図５】
0005133128.tif 000006
【図６】
0005133128.tif 000007
【図７】
0005133128.tif 000008
【図８】
0005133128.tif 000009
【図９】
0005133128.tif 000010
【図１０】
0005133128.tif 000011
【図１１】
0005133128.tif 000012
【図１２】
0005133128.tif 000013
【図１３】
0005133128.tif 000014
【図１４】
0005133128.tif 000015
【図１５】
0005133128.tif 000016
【図１６】
0005133128.tif 000017
【図１７】
0005133128.tif 000018
【図１８】
0005133128.tif 000019
【図１９】
0005133128.tif 000020
【図２０】
0005133128.tif 000021
【図２１】
0005133128.tif 000022
【図２２】
0005133128.tif 000023